(57)【要約】  表示部（２４）と、映像表示装置が表示する映像番組に連動してその映像番組に関連する番組関連情報を取得する情報取得部（２２）と、情報取得部（２２）により取得された番組関連情報を表示部（２４）に表示させる端末制御部（２３）と、を備え、端末制御部（２３）は、情報取得部（２２）が映像表示装置で表示されている第１映像番組に関連する第１番組関連情報を第１映像番組に連動させて取得できない場合、第１映像番組が映像表示装置で表示される前に配信されていた第２番組関連情報、または、映像表示装置で第１映像番組が表示される前に表示されていた第２映像番組に関連する第３番組関連情報を表示部（２４）に表示させる。
2013124917.tif 000002
【特許請求の範囲】
【請求項１】
表示部と、
映像表示装置が表示する映像番組に連動して前記映像番組に関連する番組関連情報を取得する取得部と、
前記取得部により取得された番組関連情報を前記表示部に表示させる制御部と、を備え、
前記制御部は、前記取得部が前記映像表示装置で表示されている第１映像番組に関連する第１番組関連情報を前記第１映像番組に連動して取得できない場合、前記第１映像番組が前記映像表示装置で表示される前に配信されていた第２番組関連情報、または、前記映像表示装置で前記第１映像番組が表示される前に表示されていた第２映像番組に関連する第３番組関連情報を前記表示部に表示させる、
情報表示装置。
【請求項２】
前記表示部は、前記取得部により取得された番組関連情報を表示するための第１数の表示領域を有しており、
前記制御部は、
前記取得部が前記第１番組関連情報を前記第１数よりも少ない第２数の番組関連情報しか前記第１映像番組に連動して取得できなかった場合、
前記第２数の番組関連情報それぞれを前記第２数の表示領域それぞれに表示させ、かつ、前記第２番組関連情報または前記第３番組関連情報を、前記第１数から前記第２数を引いた残りの表示領域の少なくとも１つに表示させる、
請求項１に記載の情報表示装置。
【請求項３】
前記情報表示装置は、さらに、
前記第１映像番組が前記映像表示装置で表示される前に前記取得部により取得された前記第２番組関連情報または前記第３番組関連情報を保持する取得情報保持部を備え、
前記制御部は、前記取得部が前記第１番組関連情報を前記第１映像番組に連動させて取得できない場合、前記第２番組関連情報または前記第３番組関連情報を前記取得情報保持部に保存された前記第２番組関連情報または前記第３番組関連情報を前記表示部に表示させる、
請求項１または２に記載の情報表示装置。
【請求項４】
前記取得部は、前記第１番組関連情報を前記第１映像番組に連動して取得できない場合、前記第２番組関連情報または前記第３番組関連情報を外部から取得する、
請求項１または２に記載の情報表示装置。
【請求項５】
映像表示装置が表示する映像番組に連動して前記映像番組に関連する番組関連情報を取得する取得ステップと、
前記取得ステップにおいて取得された番組関連情報を表示部に表示させる制御ステップと、を含み、
前記制御ステップでは、前記取得ステップにおいて前記映像表示装置で表示されている第１映像番組に関連する第１番組関連情報を前記第１映像番組に連動して取得できない場合、前記第１映像番組が前記映像表示装置で表示される前に配信されていた第２番組関連情報、または、前記映像表示装置で前記第１映像番組が表示される前に表示されていた第２映像番組に関連する第３番組関連情報を前記表示部に表示させる、
情報表示装置。
【発明の詳細な説明】
【技術分野】
【０００１】
本発明は、テレビ番組に関連する情報を表示するための情報表示装置に関する。
【背景技術】
【０００２】
特許文献１には、テレビ番組やＣＭなどの放送内容に関連したメタデータを受信し、情報を把握しやすい表示画面を提供する内容が開示されている。
【先行技術文献】
【特許文献】
【０００３】
【特許文献１】特開２０１１−９１６７５号公報
【発明の概要】
【発明が解決しようとする課題】
【０００４】
しかし、テレビ番組に関連するメタデータ（番組関連情報）がそのテレビ番組の実際の放送等の時間に遅れて配信される場合があり、その場合には、表示画面に何も表示されず利用者にストレスを与えるという問題がある。【０００５】
そこで、本開示は、映像番組に対応する番組関連情報がない場合でも、利用者へのストレスを緩和させる情報表示装置を提供する。
【課題を解決するための手段】
【０００６】
本開示における情報表示装置は、表示部と、映像表示装置が表示する映像番組に連動して前記映像番組に関連する番組関連情報を取得する取得部と、前記取得部により取得された番組関連情報を前記表示部に表示させる制御部と、を備え、前記制御部は、前記取得部が前記映像表示装置で表示されている第１映像番組に関連する第１番組関連情報を前記第１映像番組に連動して取得できない場合、前記第１映像番組が前記映像表示装置で表示される前に配信されていた第２番組関連情報、または、前記映像表示装置で前記第１映像番組が表示される前に表示されていた第２映像番組に関連する第３番組関連情報を前記表示部に表示させる。
【発明の効果】
【０００７】
本開示における情報表示装置は、映像番組に対応する番組関連情報がない場合でも、利用者へのストレスを緩和させることができる。
【図面の簡単な説明】
【０００８】
【図１】図１は、実施の形態１に係る番組関連情報提供システムの構成例を示す図である。
【図２Ａ】図２Ａは、実施の形態１に係る情報提供サーバの構成を示すブロック図である。
【図２Ｂ】図２Ｂは、実施の形態１に係る携帯端末の構成を示すブロック図である。
【図２Ｃ】図２Ｃは、実施の形態１に係るテレビの構成を示すブロック図である。
【図３】図３は、実施の形態１に係る携帯端末のハードウェア構成図である。
【図４】図４は、実施の形態１に係る番組関連情報提供システムを構成する情報提供サーバと、携帯端末とテレビとの間の処理を示すシーケンス図である。
【図５】図５は、実施の形態１に係る番組特定情報の一例を示す図である。
【図６】図６は、実施の形態１に係る番組関連情報の一例を示す図である。
【図７】図７は、実施の形態１に係る携帯端末の表示部に番組関連情報が表示された場合の例を示す図である。
【図８】図８は、ユーザが視聴中の映像番組が切り替わる場合に番組関連情報が取得できるタイミング例を示す図である。
【図９Ａ】図９Ａは、本実施の形態における携帯端末の表示部の表示例を示す図である。
【図９Ｂ】図９Ｂは、本実施の形態における携帯端末の表示部の表示例を示す図である。
【図９Ｃ】図９Ｃは、本実施の形態における携帯端末の表示部の表示例を示す図である。
【図１０】図１０は、実施の形態１における携帯端末制御の流れを説明するためのフローチャートである。
【図１１】図１１は、実施の形態２における番組関連情報提供システムの構成例を示す図である。
【図１２】図１２は、実施の形態２における携帯端末の構成ブロック図である。
【図１３】図１３は、実施の形態３における番組関連情報提供システムの構成例を示す図である。
【図１４】図１４は、実施の形態３における録画機能付きテレビの機能構成を示す図である。
【図１５】図１５は、実施の形態３においてユーザが視聴中の映像番組と番組特定情報と番組関連情報との時間的関係を示す図である。
【図１６Ａ】図１６Ａは、実施の形態３における携帯端末の表示部の表示例を示す図である。
【図１６Ｂ】図１６Ｂは、実施の形態３におけるにおける携帯端末の表示部の表示例を示す図である。
【図１６Ｃ】図１６Ｃは、実施の形態３におけるにおける携帯端末の表示部の表示例を示す図である。
【図１７Ａ】図１７Ａは、実施の形態４における番組関連情報の表示例を示す図である。
【図１７Ｂ】図１７Ｂは、実施の形態４における番組関連情報の表示例を示す図である。
【発明を実施するための形態】
【０００９】
（本発明の一態様を得るに至った経緯）
特許文献１で開示される技術を用いることで、テレビ番組やＣＭなどの放送内容に関連したメタデータ（番組関連情報）を受信し、情報を把握しやすい表示画面を提供することができるようになる。
【００１０】
しかし、メタデータ（番組関連情報）は実際のテレビ番組の放送と完全に一致するタイミングで送信されるわけではなく、実際にはテレビ番組の放送からある程度遅れてメタデータ（番組関連情報）が配信される場合がある。
【００１１】
つまり、テレビ番組に関連するメタデータ（番組関連情報）が実際の、テレビ番組の放送等に対して時間的な遅れを伴って配信される場合、当該メタデータが配信されるまで、表示するメタデータが無い場合がある。その場合には、表示画面に何も表示されず利用者にストレスを与えるという問題がある。
【００１２】
そこで、本開示は、映像番組に対応する番組関連情報がない場合でも、利用者へのストレスを緩和させる情報表示装置を提供する。
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者（ら）は、当業者が本開示を十分に理解するために添付図面および以下の説明を提供するのであって、これらによって請求の範囲に記載の主題を限定することを意図するものではない。
【００１５】
（実施の形態１）
以下、図１〜図１０を用いて、実施の形態１を説明する。
【００１６】
［１−１．構成］
図１は、本実施の形態に係る番組関連情報提供システムの構成例を示す図である。図２Ａは、実施の形態１に係る情報提供サーバの構成を示すブロック図である。図２Ｂは、実施の形態１に係る携帯端末の構成を示すブロック図である。図２Ｃは、実施の形態１に係るテレビの構成を示すブロック図である。図３は、携帯端末のハードウェア構成例を示す図である。
【００１７】
図１に示す番組関連情報提供システムは、情報提供サーバ１と、携帯端末２と、テレビ３と、ネットワーク４と、放送局５と、を備える。
【００１８】
ネットワーク４は、携帯端末２と、情報提供サーバ１とを接続させるための通信媒体である。
【００１９】
放送局５は、テレビ３が表示する映像番組を配信する配信元である。本実施の形態では、放送局を例として示すが、これに限定されない。テレビ３へ映像番組を送信するものであれば、放送局５に限らず、ケーブルテレビの配信局であってもよいし、ビデオオンデマンドのサーバ等であってもよい。
【００２０】
情報提供サーバ１は、テレビ３等で表示されている映像番組を特定する情報（番組特定情報）および放送されるテレビ番組等の映像番組に関連する番組関連情報（メタデータ）を提供する。情報提供サーバ１は、携帯端末２等からの番組特定情報および番組関連情報の提供要求に応じて、番組特定情報および番組関連情報を携帯端末２等に送信する。
【００２１】
なお、以下の実施の形態で説明する「番組関連情報（メタデータ）」とは、映像番組に関連する情報である。例えば、番組関連情報は、テレビ３で表示されている映像番組中に俳優などの人物が表示されている場合には、その俳優の各種情報（生年月日、性別、出演作品、俳優歴などのプロフィールや、その俳優に関するニュース）などである。また、例えば、映像番組中に商品が表示されている場合は、その商品の情報（製造メーカ、販売代理店、商品価格、商品紹介のＵＲＬ、商品レビュー等の情報）が番組関連情報である。なお、番組関連情報は、上記例以外でもよい。例えば、映像番組でニュースが表示されている場合には、ニュースに関する情報（ニュースの概略、ニュース対象の主体、関連するニュース、当該ニュースに対する世間の評判等の情報）が番組関連情報であるとしてもよい。
【００２２】
つまり、番組関連情報（メタデータ）とは、映像番組で表示、又は話題として取り上げられる内容、これらに関連する間接的な内容に関する情報のことを意味する。
【００２３】
また、情報提供サーバ１は、図２Ａに示すように、制御部１１と、情報送信部１２と、番組関連情報データベース１３と、を備える。
【００２４】
制御部１１は、情報提供サーバ１全体を制御するとともに、携帯端末２から映像番組の放送局、表示日時等の番組情報を受信するまたは番組関連情報提供の要求を受信すると、当該番組情報に対応する番組特定情報や、当該映像番組の番組関連情報を送信する制御を行なう。
【００２５】
情報送信部１２は、制御部１１が番組関連情報データベース１３から取得した番組特定情報や番組関連情報を携帯端末２へ送信する。
【００２６】
番組関連情報データベース１３は、それぞれの映像番組を特定する情報（番組特定情報）およびそれら映像番組に関連する番組関連情報を記録または保持している。
【００２７】
携帯端末２は、情報表示装置の一例であり、番組特定情報と、番組関連情報（メタデータ）とを、情報提供サーバ１から受信し、利用者（ユーザ）に受信した情報を表示する。
【００２８】
携帯端末２は、図２Ｂに示すように、番組位置特定部２１と、情報取得部２２と、端末制御部２３と、表示部２４と、取得情報保持部２５と、を備える。ここで、携帯端末２は、ネットワーク４を介して情報提供サーバ１と物理的に直接接続されていてもよいし、ネットワーク４中で１つまたは複数の装置を介在させて情報提供サーバ１と接続されるものであってもよい。
【００２９】
番組位置特定部２１は、例えば、利用者がテレビ３で視聴している映像番組の放送局（配信元）、および、当該映像番組の表示日時を含む番組位置などの当該映像番組の番組情報を、テレビ３と通信することにより取得する。番組位置特定部２１は、テレビ３と無線による通信、又は有線による通信により、番組情報を取得する。
【００３０】
情報取得部２２は、情報提供サーバ１からネットワーク４を介して、番組特定情報および番組関連情報（メタデータ）を取得（受信）する。情報取得部２２は、例えば、テレビ３が表示する映像番組に連動して映像番組に関連する番組関連情報を取得する。また、情報取得部２２は、例えば、テレビ３で表示される映像番組（第１映像番組）に関連する番組関連情報（第１番組関連情報）をその映像番組（第１映像番組）に連動させて取得できない場合、第１映像番組がテレビ３で表示される前に配信されていた番組関連情報（第２番組関連情報）またはテレビ３で第１映像番組が表示される前に表示されていた映像番組（第２映像番組）に関連する番組関連情報（第３番組関連情報）を再度取得する。
【００３１】
端末制御部２３は、携帯端末２全体を制御する。例えば、端末制御部２３は、情報取得部２２に番組関連情報を取得させたり、表示部２４に情報を表示させたりする。つまり、端末制御部２３は、情報取得部２２に取得させた番組関連情報を表示部２４に表示させる。より具体的には、端末制御部２３は、情報取得部２２がテレビ３で表示される第１映像番組に関連する第１番組関連情報を第１映像番組に連動させて取得できない場合、第１映像番組がテレビ３で表示される前に配信されていた第２番組関連情報、または、テレビ３で第１映像番組が表示される前に表示されていた第２映像番組に関連する第３番組関連情報を表示部２４に表示させる。
【００３２】
表示部２４は、端末制御部２３に制御され、番組特定情報や、表示対象となった番組関連情報を表示する。なお、表示部２４は、情報取得部２２により取得された番組関連情報を表示するための第１数の表示領域を有しているが、後述するためここでの説明は省略する。
【００３３】
取得情報保持部２５は、情報取得部２２が情報提供サーバ１から取得した番組特定情報および番組関連情報を記録または保持する。例えば、取得情報保持部２５は、第１映像番組がテレビ３で表示される前に情報取得部２２により取得された第２番組関連情報または第３番組関連情報を保持する。
【００３４】
なお、携帯端末２は、例えば、図３に示すハードウェアにより構成される。すなわち、携帯端末２は、例えば図３に示すように、ＣＰＵ３０１と、メモリ３０２と、ネットワークインターフェイス３０３と、無線インターフェイス３０４と、ディスプレイ３０５と、を備えるハードウェア構成により実現される。
【００３５】
ＣＰＵ３０１は、携帯端末２全体を制御する。具体的に制御する部分は、ＣＰＵ上で動作するソフトウェアプログラム等により実現される。なお、ＣＰＵ３０１は、図２Ｂに示す端末制御部２３等に該当する。
【００３６】
メモリ３０２は、データを記録する。メモリ３０２には、上記ＣＰＵ３０１上で動作するソフトウェアプログラムのコードや、ソフトウェアプログラム動作時の一時変数、または、情報提供サーバ１から取得した番組を特定する番組特定情報、番組関連情報等を記録する。なお、メモリ３０２は、図２Ｂに示す端末制御部２３や、取得情報保持部２５等に該当する。
【００３７】
ネットワークインターフェイス３０３は、ネットワーク接続された外部機器からデータを送受信する。なお、ネットワークインターフェイス３０３は、図２Ｂに示す情報取得部２２等に該当する。
【００３８】
無線インターフェイス３０４は、映像視聴中の映像番組の放送局および放送日時等の情報を含む番組位置情報などを含む、テレビ３から送信される番組情報を受信する。なお、本実施の形態では、無線を例としてハードウェアを構成する場合について説明するがこれに限定されない。有線による接続でもよいし、その他方法でテレビ３から情報を取得等するものであってもよい。
【００３９】
ディスプレイ３０５は、取得した番組関連情報等を表示する表示装置である。ディスプレイ３０５は、図２Ｂに示す表示部２４に該当する。
【００４０】
テレビ３は、映像番組を表示する映像表示装置の一例であり、携帯端末２の利用者が、映像番組を視聴するための装置である。テレビ３は、図２Ｃに示すようにチューナ部３１と、番組位置送信部３２と、表示部３３と、を備える。
【００４１】
チューナ部３１は、放送局５から配信される映像番組を受信し、復調等して表示部３３で映像を表示できるように変換する。
【００４２】
番組位置送信部３２は、表示部３３で表示されている映像番組の放送局、表示日時（番組位置）などを含む番組情報を特定する。放送局、表示日時などを含む番組情報は、携帯端末２へ無線による通信、又は有線による通信等により通知される。
【００４３】
表示部３３は、チューナ部３１等で復調された映像番組を表示する。
【００４４】
以上のように構成された番組関連情報提供システムでは、テレビ３の視聴者は、放送局５から配信される映像番組をテレビ３で映像番組を視聴するとともに、情報提供サーバ１から取得した番組を特定する番組特定情報を取得する。さらに、当該番組特定情報に基づいて、携帯端末２は番組関連情報を取得して表示する。それにより、視聴者（ユーザ）は、テレビ３で視聴中の映像番組内で関心のある内容について、携帯端末２を用いてより詳細な情報を取得することができる。
【００４５】
［１−２．動作］
以上のように構成された番組関連情報提供システムについて、以下、それぞれの動作について詳細に説明する。
【００４６】
図４は、本実施の形態における番組関連情報提供システムを構成する情報提供サーバ１と、携帯端末２と、テレビ３との間の処理の流れを示すシーケンス図である。
【００４７】
まず、携帯端末２の番組位置特定部２１は、テレビ３の番組位置送信部３２に対して、テレビ３が表示中の映像番組を配信する放送局やその映像番組の表示日時（番組位置）などを含む番組情報を要求する要求信号を送信する（Ｓ４０１）。
【００４８】
次に、番組位置特定部２１は、テレビ３の番組位置送信部３２から、テレビ３が表示する映像番組を配信する放送局やその映像番組の表示日時などを含む番組情報を受信する（Ｓ４０２）。
【００４９】
次に、携帯端末２の端末制御部２３は、番組位置特定部２１が受信したテレビ３が表示中の映像番組を配信する放送局、表示日時などを含む番組情報を情報提供サーバ１へ送信する（Ｓ４０３）。
【００５０】
次に、情報提供サーバ１の制御部１１は、受信した番組情報に基づいて番組関連情報データベース１３から、受信した番組情報に対応する映像番組を特定する情報（番組特定情報）を検索または取得する。制御部１１は、取得した映像番組を特定する情報（番組特定情報）を、情報送信部１２を介して携帯端末２へ送信する。情報送信部１２は、番組関連情報データベース１３から検索、取得された番組特定情報を携帯端末２に対して送信する（Ｓ４０４）。
【００５１】
なお、映像番組を特定する情報（番組特定情報）とは、例えば、放送局（映像配信元）、番組名、番組内での視聴位置（映像番組開始時からの経過時間等）、番組放送日時（配信日時）、番組内でのチャプタ番号、等である。本実施の形態では、上記のような情報を番組特定情報として取得する場合の例について説明するが、これに限定されない。番組特定情報は、番組を特定できる情報、番組内での視聴部分等を特定できる情報であれば、上記例とは異なる情報構成であってもよい。
【００５２】
図５は、本実施の形態における番組特定情報の一例を示す図５である。図５に示す例では、番組特定情報は、ＩＤと、番組名と、放送局と、番組開始日時と、番組終了日時と、番組内容の説明（概略）と、を示す情報で構成されている。換言すると、情報提供サーバ１と携帯端末２との間では、図５に示すような内容の情報を番組特定情報として送受信する。
【００５３】
ここで、ＩＤは、映像番組を特定する情報を識別するための識別子である。番組名は、映像番組の名称を示す文字列等の情報である。放送局は、当該映像番組を配信する配信元を識別するための情報である。番組開始日時および番組終了日時は、当該映像番組が配信開始および配信終了される日時を示す。説明は、当該映像番組について概略説明等の情報である。
【００５４】
以下、図４に戻って説明する。
【００５５】
次に、携帯端末２は、情報提供サーバ１からテレビ３で視聴中の映像番組を特定する情報（番組特定情報）を取得すると、その番組特定情報に基づいて、番組関連情報を取得する。具体的には、まず、携帯端末２の端末制御部２３は、取得した番組特定情報を情報提供サーバ１へ送信する（Ｓ４０５）。
【００５６】
次に、情報提供サーバ１の制御部１１は、送信された番組特定情報に基づいて、番組関連情報データベース１３から映像番組に対応する番組関連情報（メタデータ）を検索または取得する。そして、制御部１１は、検索または取得した番組関連情報を、情報送信部１２を介して携帯端末２へ送信する（Ｓ４０６）。
【００５７】
図６は、本実施の形態における番組関連情報の一例を示す図である。番組関連情報は、例えば図６に示すように、メタＩＤと、番組ＩＤと、表示日時と、カテゴリと、タイトルと、説明文と、画像ＵＲＬと、リンク先ＵＲＬとで構成されている。
【００５８】
ここで、メタＩＤは、それぞれの番組関連情報を識別するための識別子である。番組ＩＤは、視聴中の映像番組を識別するための識別子である。なお、この番組ＩＤは、図５に示すＩＤと一致するものであってもよい。
【００５９】
表示日時は、当該番組関連情報が映像番組のどの時点で関連するものかを示す情報である。例えば、表示日時「２０１２／１／１、１２：０５」の場合は、２０１２年１月１日の１２：０５時点で放送局等から送信されている映像番組の部分を示している。本実施の形態では、この表示日時を絶対時間で表示しているが、番組開始からの相対時間で表示するものであってもよい。つまり、この項目は番組内での部分（時間的な位置）等を特定するもの（番組位置情報）であればいずれの方法であってもよい。
【００６０】
カテゴリは、当該番組関連情報のカテゴリを示している。これは提供される個々の番組関連情報の内容に応じてそれぞれの種類が決定される。タイトルは、番組関連情報の名称である。このタイトルには、その番組関連情報の内容の概略を把握するために好適な名称が使用されている。説明分には、該当する番組関連情報の詳細な内容が記載されている。説明文に記載される内容（情報）は、一連の文字列等からしめされることが一般的である。
【００６１】
画像ＵＲＬは、当該番組関連情報に関連する画像を提供する情報元を示す情報である。それにより、携帯端末２は、必要に応じてネットワーク４を介して画像ＵＲＬに示された情報元（指定されたＵＲＬ）から画像を取得することができる。リンク先ＵＲＬは、当該番組関連情報について関連する情報、あるいはより詳細に説明した情報が情報提供サーバ１以外から提供可能な場合には、その提供元を示す情報である。
【００６２】
本実施の形態では、図６に示すような情報を番組関連情報として提供する場合の例について説明しているが、これに限定されない。番組関連情報は、図６に示す情報以外の情報を含んでいるとしてもよいし、図６に示す情報のうちいくつかの情報が削除された情報を含んでいるとしてもよい。
【００６３】
以下、再び図４に戻って説明する。
【００６４】
次に、携帯端末２は、情報提供サーバ１から番組関連情報（メタデータ）を受信する。そして、携帯端末２の端末制御部２３は、受信した番組関連情報（メタデータ）を表示部２４に表示させる（Ｓ４０７）。
【００６５】
以上のように、本実施の形態における番組関連情報提供システムでは、Ｓ４０１〜Ｓ４０７を繰り返すことで、携帯端末２に最新の番組関連情報を取得させることができる。
【００６６】
また、情報提供サーバ１の番組関連情報データベース１３には、放送局から配信される映像番組の進捗に応じて、時々刻々と最新の番組関連情報が追加される。そのため、携帯端末２は何度も情報提供サーバ１へアクセスすることで、最新の番組関連情報が取得できる。
【００６７】
図７は、携帯端末２の表示部２４（ディスプレイ３０５）に番組関連情報が表示された場合の例を示す図である。
【００６８】
表示部２４は、図７に示すように複数の表示領域（メタデータ表示領域２４１）に分割されている。それぞれの表示領域は、個々の番組関連情報（メタデータ）を表示するメタデータ表示領域２４１として区分される。図７に示す例では、表示部２４は、上下方向に２分割、横方向に４分割の、合計８個（第１数）のメタデータ表示領域２４１が設定されている。以下では、図７に示すように、８個（第１数）のメタデータ表示領域が設定されている場合について説明するが、表示の形態（メタデータ表示領域の個数、分割の仕方等）は図７の例に限定されるものではない。表示部２４が、複数のメタデータ表示領域２４１を備えているものであれば、いずれの表示態様であってもよい。
【００６９】
なお、携帯端末２は表示部２４に表示可能な番組関連情報の数以上に、情報提供サーバ１から当該映像番組の番組関連情報を取得した場合、取得した番組関連情報の内最新の番組関連情報（図６の表示日時が新しいもの）を優先的に表示し、他の番組関連情報は、スクロール、ブック形式等で利用者の操作があった場合に表示するとしてもよい。
【００７０】
以下では、図８〜図１０を用いて、本実施の形態の情報表示装置（携帯端末２）が、映像番組に対応する番組関連情報がない場合でも、利用者（ユーザ）に番組関連情報（メタデータ）を表示することで、利用者へのストレスを緩和させる場合に例について説明する。
【００７１】
図８は、ユーザが視聴中の映像番組が切り替わる場合に番組関連情報が取得できるタイミング例を示す図である。
【００７２】
図８の（ａ）には、期間Ｂで視聴中の映像番組が期間Ｂで切り替わる例が示されている。すなわち、図８の（ａ）には、期間Ａにおいて、放送局５からテレビ３に「映画Ａ」が配信されており、期間Ｂおよび期間Ｃにおいて、放送局５からテレビ３に「ドラマＢ」が配信されている場合の例が示されている。
【００７３】
図８の（ｂ）には、情報提供サーバ１から送信される番組特定情報の送信タイミングの例が示されている。図８の（ｂ）に示されるように、番組特定情報は、放送局５から配信される映像番組である「映画Ａ」および「ドラマＢ」と実質的に同期している。つまり、ある映像番組の配信が終了し、新たな番組の配信が開始されると、ほぼ同時にその番組特定情報が更新される。これは、放送局５から配信される映像番組は予め決められているため、実際の映像配信にそって番組特定情報を更新することができるためである。
【００７４】
図８の（ｃ）には、情報提供サーバ１から送信される番組関連情報の送信タイミングの例が示されている。図８の（ｃ）に示されるように、番組関連情報（メタデータ）は、番組特定情報とは異なり、映像番組の内容と、その映像番組に関連する番組関連情報（メタデータ）の送信可能時期との間には一定の時間差が存在する。これは、映像番組が放送されると、放送されたタイミング（時刻）から自動又は人手で番組関連情報が生成され、番組関連情報データベース１３に登録されることに起因する。つまり、この時間差は、映像番組が放送されてから、番組関連情報が作成されるまでに時間を要することから生じてしまう。そのため、切り替わった後の映像番組の番組関連情報の送信可能時期は、切り替わった後の映像番組が表示される時期より遅れる。
【００７５】
より具体的には、図８の（ａ）において、期間Ａから期間Ｂに変わり、表示される（視聴される）映像番組が「映画Ａ」から「ドラマＢ」へと変わる。しかし、そのタイミングでは、まだ、番組関連情報としては「映画Ａ」の番組関連情報のみが送信可能であり、「ドラマＢ」の番組関連情報は送信できない。
【００７６】
そして、上記のように、映像番組に関連する番組関連情報（メタデータ）が実際の映像番組の放送等に対して時間的な遅れを伴って配信される場合、当該メタデータが配信されるまで、実際の映像番組の放送等に対するメタデータが表示できない。そのため、このままだと、表示画面に何も表示されず利用者にストレスを与えてしまう。
【００７７】
そこで、本実施の形態における携帯端末２は、上記の期間Ａ〜期間Ｃにおいて、以下に説明する動作を行う。
【００７８】
図９Ａ〜図９Ｃは、本実施の形態における携帯端末２の表示部２４の表示例を示す図である。図９Ａは、期間Ａおよび期間Ｂにおいて携帯端末２の表示部２４の表示例を示す図である。図９Ｂは、期間Ｃの初期において携帯端末２の表示部２４の表示例を示す図である。図９Ｃは、期間Ｃの一定期間経過後において携帯端末２の表示部２４の表示例を示す図である。
【００７９】
まず、図８に示す期間Ａおよび期間Ｂでは、携帯端末２が受信する番組関連情報はすべて「映画Ａ」に関するものである。そのため、表示部２４には、図９Ａに示すように、「映画Ａ」の番組関連情報のみが表示される。
【００８０】
次に、図８に示す期間Ｂから期間Ｃに変わった後の所定期間（期間Ｃの初期）では、図９Ｂに示すように、表示部２４には、「映画Ａ」の番組関連情報と、「ドラマＢ」の番組関連情報との両者が表示されている。これは、期間Ｂから期間Ｃに変わった直後とその後の所定期間（初期の期間）では、携帯端末２は、まだ「ドラマＢ」の番組関連情報が十分に取得できていないため、現在視聴中の番組である「ドラマＢ」の番組関連情報だけでなく、その直前に視聴等されていた期間Ａの「映画Ａ」の番組関連情報も表示部２４に表示する。
【００８１】
こうすることで、携帯端末２の利用者は、現在視聴中の映像番組の番組関連情報が十分ない場合でも、直前に視聴していた映像番組の番組関連情報を閲覧することが可能となる。
【００８２】
それにより、実際の映像番組の放送等に対するメタデータが表示できないからといって表示画面に何も表示されず利用者にストレスを与えてしまうということを防止することができる。
【００８３】
なお、この場合には、図９Ｂに示すように、いずれの情報が現時点で視聴している番組「ドラマＢ」の番組関連情報であり、いずれの情報が以前に視聴していた番組（過去の番組）「映画Ａ」の番組関連情報であるかを、明示的に区別できるように表示することが好ましい。図９Ｂに示す例では、表示部２４の表示面の上段に「映画Ａ」の番組関連情報が、下段に「ドラマＢ」の番組関連情報が表示されている場合の例が示されている。
【００８４】
次に、期間Ｃになってさらに時間が経過した場合（期間Ｃの一定期間経過後）では、携帯端末２に送信される番組関連情報がすべて「ドラマＢ」の番組関連情報となっているため、図９Ｃに示すように表示部２４には、「ドラマＢ」の番組関連情報のみが表示される。
【００８５】
以上のように動作される携帯端末２の制御の流れについて、図１０を用いて以下に説明する。
【００８６】
なお、図９Ａ〜図９Ｃでは、表示部２４に番組関連情報が何かしら表示されている例を示している。つまり、表示部２４が有する複数の表示領域（メタデータ表示領域２４１）すべてに番組関連情報が表示される必要まではないことを示している。
【００８７】
図１０は、本実施の形態における携帯端末２の制御の流れを説明するためのフローチャートである。
【００８８】
まず、端末制御部２３は、テレビ３で視聴者が視聴している映像番組を特定するために、テレビ３が表示している映像番組を配信している放送局と、映像番組の表示日時とを含む番組情報を番組位置特定部２１により取得する（Ｓ１００１）。
【００８９】
次に、端末制御部２３は、番組位置特定部２１により取得した、映像番組の放送局と表示日時とを含む番組情報を情報提供サーバ１に送信する。そして、端末制御部２３は、情報提供サーバ１からテレビ３で視聴者が視聴している番組を特定するための情報（番組特定情報）を、情報取得部２２を介して取得する（Ｓ１００２）。
【００９０】
次に、端末制御部２３は、取得した番組特定情報を、情報提供サーバ１へ送信する（Ｓ１００３）。
【００９１】
次に、端末制御部２３は、Ｓ１００３で送信した番組特定情報に対して、当該映像番組の番組関連情報（メタデータ）を取得できたか否かを判断する。番組関連情報を取得できた場合、端末制御部２３は処理をＳ１００５へ移す。反対に、番組関連情報を取得できない場合、端末制御部２３は処理をＳ１００６へ移す（Ｓ１００４）。
【００９２】
Ｓ１００４において、端末制御部２３は、送信した番組特定情報に対する番組関連情報を取得できた場合は（Ｓ１００４でＹＥＳ）、その番組関連情報を表示部２４に表示させる（Ｓ１００５）。
【００９３】
反対に、Ｓ１００４において、端末制御部２３は、送信した番組特定情報に対する番組関連情報を取得できない場合（Ｓ１００４でＮＯ）、直前に配信されていた番組関連情報を取得する（Ｓ１００６）。
【００９４】
そして、端末制御部２３は、取得した視聴中の映像番組とは異なる番組情報を、表示部２４に表示する（Ｓ１００７）。
【００９５】
なお、視聴している映像番組に対応する番組関連情報が取得できない場合、その映像番組の直前に配信されていた番組関連情報を取得する場合の例について説明したが、これに限らない。例えば、現在視聴している映像番組の番組関連情報が取得できない場合、以前に視聴者がテレビ３で視聴し、携帯端末２が取得して取得情報保持部２５に記録・保持する別の映像番組の番組関連情報を取得するとしてもよい。
【００９６】
以降の処理は、再度Ｓ１００１に戻る。そして、上記の処理を繰り返す。
【００９７】
このように、携帯端末２は、現在、テレビ３で視聴中の映像番組に対する番組関連情報が取得できるまで、別の番組の番組関連情報を表示する。ここで、別の番組は、現在視聴中の映像番組の直前に同じ放送局から配信されている映像番組の番組関連情報であってもよいし、視聴者が以前に視聴し、取得情報保持部２５等に保持している別の映像番組の番組関連情報であってもよい。
【００９８】
［１−３．効果等］
以上のように、本実施の形態において、情報表示装置（携帯端末２）は、映像表示装置（テレビ３）が表示する映像番組の配信元、表示日時等を含む番組情報を映像表示装置（テレビ３）より取得する番組位置特定部２１と、取得した番組情報を外部サーバ（情報提供サーバ１等）へ送信し、映像表示装置が表示する映像番組を特定する情報（番組特定情報）を取得し、当該番組特定情報を外部サーバ（情報提供サーバ１等）へ送信して、映像番組の番組関連情報を取得する情報取得部２２と、取得した番組関連情報を表示部２４へ表示させる端末制御部２３と、を備える。
【００９９】
なお、情報表示装置（携帯端末２）は、上記の構成をすべて備える必要はなく、少なくとも次の構成を備えればよい。すなわち、情報表示装置（携帯端末２）は、表示部（表示部２４）と、映像表示装置（テレビ３）が表示する映像番組に連動して映像番組に関連する番組関連情報を取得する取得部（情報取得部２２）と、取得部（情報取得部２２）により取得された番組関連情報を表示部（表示部２４）に表示させる制御部（端末制御部２３）と、を少なくとも備え、制御部（端末制御部２３）は、取得部（情報取得部２２）が映像表示装置（テレビ３）で表示されている第１映像番組に関連する第１番組関連情報を第１映像番組に連動して取得できない場合、第１映像番組が映像表示装置（テレビ３）で表示される前に配信されていた第２番組関連情報、または、映像表示装置（テレビ３）で第１映像番組が表示される前に表示されていた第２映像番組に関連する第３番組関連情報を表示部（表示部２４）に表示させる。
【０１００】
この構成により、情報表示装置（携帯端末２）は、映像表示装置に表示されている映像番組の番組関連情報が映像番組の逐時（リアルタイム）に連動して取得できない場合でも、その直前に配信されていた映像番組、または、映像表示装置（テレビ３）で再生されていた映像番組の番組関連情報を表示することができる。
【０１０１】
それにより、映像番組に対応する番組関連情報（メタデータ）が配信されない場合でも、情報表示装置の利用者は、他の番組等の番組関連情報（メタデータ）を閲覧することが可能となる。
【０１０２】
つまり、映像番組に対応する番組関連情報が配信されていない場合でも、視聴者には何かしらの番組関連情報（メタデータ）を表示することができる。そのため、映像番組に関連する番組関連情報（メタデータ）が実際の映像番組の放送等に対して時間的な遅れを伴って配信される場合でも、当該メタデータが配信されるまで、実際の映像番組の放送等に対するメタデータを表示画面に表示できずに利用者にストレスを与えてしまうということを防止することができる。
【０１０３】
また、前記表示部は、前記取得部により取得された番組関連情報を表示するための第１数の表示領域を有しており、前記制御部は、前記取得部が前記第１番組関連情報を前記第１数よりも少ない第２数の番組関連情報しか前記第１映像番組に連動して取得できなかった場合、前記第２数の番組関連情報それぞれを前記第２数の表示領域それぞれに表示させ、かつ、前記第２番組関連情報または前記第３番組関連情報を、前記第１数から前記第２数を引いた残りの表示領域の少なくとも１つに表示させるとしてもよい。
【０１０４】
この構成により、表示部（表示部２４）の表示領域の大きさ（番組関連情報が表示できる領域数）に対して十分な数の番組関連情報を取得できない場合には、映像番組の番組関連情報とともに、当該映像番組の前に配信、または、前記映像表示装置（テレビ３）で再生されていた映像番組の番組関連情報との両者を同時に表示部（表示部２４）に表示することができる。
【０１０５】
それにより、利用者により多くの番組関連情報を提供することが可能であるだけでなく、表示領域の大きさ（番組関連情報が表示できる領域数）に対して十分な番組関連情報が配信されるまで、実際の映像番組の放送等に対する番組関連情報を表示画面に表示できずに利用者にストレスを与えてしまうということを防止することができる。
【０１０６】
ここで、前記情報表示装置は、さらに、前記第１映像番組が前記映像表示装置で表示される前に前記取得部により取得された前記第２番組関連情報または前記第３番組関連情報を保持する取得情報保持部を備え、前記制御部は、前記取得部が前記第１番組関連情報を前記第１映像番組に連動させて取得できない場合、前記第２番組関連情報または前記第３番組関連情報を前記取得情報保持部に保存された前記第２番組関連情報または前記第３番組関連情報を前記表示部に表示させるとしてもよい。
【０１０７】
この構成により、制御部（端末制御部２３）は、映像表示装置（テレビ３）で表示している映像番組の番組関連情報が取得できない場合に、例えば映像表示装置の放送局等のチャンネルを変えた場合にそのチャンネルで過去配信されていた番組関連情報など現在表示している映像番組の前に配信されていた映像番組の番組関連情報を外部のサーバ（情報提供サーバ１）等で取得し、表示部に表示することができる。
【０１０８】
また、前記取得部は、前記第１番組関連情報を前記第１映像番組に連動して取得できない場合、前記第２番組関連情報または前記第３番組関連情報を外部から取得するとしてもよい。
【０１０９】
つまり、この構成の場合、取得した番組関連情報は取得情報保持部に保持される。それにより、制御部（端末制御部２３）は、取得情報保持部に蓄積されている番組関連情報を取得して表示部に表示することができる。
【０１１０】
このように、本実施の形態の情報表示装置（携帯端末２）が表示部に表示する番組関連情報は、直前に配信されていた映像番組、あるいは、映像表示装置（テレビ３）で再生されていた映像番組の番組関連情報が、取得部（情報取得部２２）により、再度外部サーバ等から取得されたものであってもよいし、予め取得情報保持部に保持されたものから取得されたものであってもよい。
【０１１１】
それにより、携帯端末２が、現在の映像番組の番組関連情報を取得できない場合でも、他の映像番組の番組関連情報を取得し、それを表示することが可能となる。この場合、携帯端末２の利用者は、現在の映像番組の番組関連情報が取得できるまでの間、他の映像番組の番組関連情報を見ることができる。また、現在の映像番組の番組関連情報が取得できた場合は、その番組関連情報で表示が更新されるため、視聴者は現在の番組の番組関連情報の見過ごしを防ぐことができる。
【０１１２】
（実施の形態２）
以下、図１１および図１２を用いて、実施の形態１で説明した番組関連情報提供システムと異なる例を、実施の形態２として説明する。
【０１１３】
［２−１．構成］
図１１は、本実施の形態における番組関連情報提供システムの構成例を示す図である。図１２は、本実施の形態における携帯端末の構成を示すブロック図である。本実施の形態の番組関連情報提供システム（図１１）と実施の形態１で説明した番組関連情報提供システム（図１）との相違点は、（１）テレビ７（テレビ３）が表示している映像番組の情報を、携帯端末６（携帯端末２）が取得する方法と、（２）携帯端末６が番組特定情報を問い合わせるサーバが情報提供サーバ１とは独立した番組特定サーバ８である点と、である。それ以外の点については、実施の形態１と同じであるので説明を省略する。
【０１１４】
携帯端末６は、情報表示装置の一例であり、情報取得部２２と、端末制御部２３と、表示部２４と、取得情報保持部２５と、マイク６１と、番組位置特定部６２と、を備える。
【０１１５】
情報取得部２２と、端末制御部２３と、表示部２４と、取得情報保持部２５とは実施の形態１と同じであるので説明を省略する。
【０１１６】
マイク６１は、映像番組を表示するテレビ７が出力する音声を取得する。具体的には、マイク６１は、テレビ７が映像番組を表示する際に出力する音声を取得し、電気信号に変換する。そして、マイク６１は、変換した音声電気信号を、番組位置特定部６２に出力する。
【０１１７】
番組位置特定部６２は、マイク６１が取得した音声から映像番組を特定する。具体的には、番組位置特定部６２は、マイク６１から入力された音声電気信号を所定の処理で演算する。その結果、テレビ７で表示中の映像番組の放送局と表示日時などの番組情報を取得する。
【０１１８】
番組位置特定部６２は、映像番組の放送局や表示日時など、特定した番組情報を番組特定サーバ８へ送信する。番組特定サーバ８は、実施の形態１で説明した情報提供サーバ１の一部の機能を担う。具体的には、放送局や表示日時などの番組情報に基づいてテレビ７で表示されている映像番組を特定する情報（番組特定情報）を携帯端末６へ返信する。
【０１１９】
このようにして、携帯端末６は、テレビ７で表示されている映像番組を特定することが可能となる。動作も含めた他の部分については、実施の形態１と同じであるので説明を省略する。
【０１２０】
［２−２．効果等］
以上のように、本実施の形態において、情報表示装置（携帯端末６）は、さらに映像表示装置（テレビ７等）が出力する音声を取得するマイク６１を備え、番組位置特定部６２は、映像表示装置（テレビ７等）が表示する映像番組の配信元、表示日時等の番組情報を映像表示装置（テレビ７等）より取得する。番組位置特定部６２は、取得した番組情報を外部サーバ（番組特定サーバ８等）へ送信し、映像表示装置（テレビ７等）が表示する映像番組を特定する情報（番組特定情報）を取得する。
【０１２１】
それにより、映像表示装置（テレビ７等）が表示中の映像番組の配信元（放送局）や、表示日時などの番組情報を、情報表示装置（携帯端末６）へ無線あるいは有線による通信で伝達できない場合でも、情報表示装置（携帯端末６）は映像表示装置（テレビ７等）が表示する映像番組の放送局や表示日時といった番組情報を特定することができる。
【０１２２】
以上、本実施の形態によれば、実施の形態１と同様に、視聴中の映像番組の番組関連情報が取得できない場合でも、情報表示装置は他の番組の番組関連情報を表示することができる。さらに、映像表示装置に通信機能が無い場合でも、情報表示装置は、映像表示装置が表示する映像番組の配信情報等の番組情報を取得（決定）することができる。
【０１２３】
（実施の形態３）
以下、図１３〜図１６Ｃを用いて、実施の形態１および２で説明した番組関連情報提供システムとは異なる例を、実施の形態３として説明する。
【０１２４】
［３−１．構成］
図１３は、本実施の形態における番組関連情報提供システムの構成例を示す図である。図１４は、本実施の形態における録画機能付きテレビの機能構成を示す図である。
【０１２５】
本実施の形態の番組関連情報提供システム（図１３）と、実施の形態１の番組関連情報提供システム（図１）との相違点は、（１）録画機能付きテレビ９がビデオレコーダ（録画機能）を備えている点、（２）そのため放送局５が番組関連情報提供システム（図１３）から削除されている点、である。
【０１２６】
本実施の形態の説明では、実施の形態１と相違する点を中心に説明する。実施の形態１と同じ部分については、説明を省略する。
【０１２７】
携帯端末２は、実施の形態１で説明した携帯端末２と同じであるため説明を省略する。
【０１２８】
録画機能付きテレビ９は、映像を表示する映像表示装置として以外に、映像番組を記録・保持する機能を備える。録画機能付きテレビ９は、図１４に示すように、チューナ部３１と、番組位置送信部３２と、表示部３３と、ＨＤＤ９４とを備える。この録画機能付きテレビ９は、実施の形態１で説明したテレビ３（図２Ｃ）と比較すると、ＨＤＤ９４が追加されている点が異なる。
【０１２９】
ＨＤＤ９４は、映像番組を記録・保持する記録媒体である。本実施の形態では、ＨＤＤ（Ｈａｒｄ  Ｄｉｓｋ  Ｄｒｉｖｅ）を例に記載しているが、これは、不揮発性の記憶媒体であればいずれのものでもよい。
【０１３０】
以下では、図１５〜図１６Ｃを用いて、本実施の形態の情報表示装置（携帯端末２）が、映像番組に対応する番組関連情報がない場合でも、利用者に番組関連情報（メタデータ）を表示することで、利用者へのストレスを緩和させる場合に例について説明する。
【０１３１】
図１５は、本実施の形態においてユーザが視聴中の映像番組と、番組特定情報と、配信される番組関連情報との時間的関係を示す図である。図１６Ａ〜図１６Ｃは、本実施の形態における携帯端末２の表示部２４の表示例を示す図である。図１６Ａは、期間Ａおよび期間Ｂにおいて携帯端末２の表示部２４の表示例を示す図である。図１６Ｂは、期間Ｃの初期において携帯端末２の表示部２４の表示例を示す図である。図１６Ｃは、期間Ｃの一定期間経過後において携帯端末２の表示部２４の表示例を示す図である。
【０１３２】
図１５の（ａ）は、期間Ｘで視聴中の映像番組が期間Ｙで切り替わる例が示されている。
【０１３３】
具体的には、図１５の（ａ）では、期間Ｘの間は、録画機能付きテレビ９にすでに録画記録されている映像番組「ニュースＣ」が表示され、期間Ｙおよび期間Ｚでは、放送局から配信される「ドラマＢ」が表示されている場合の例が示されている。
【０１３４】
図１５の（ｂ）には、情報提供サーバ１から送信される番組特定情報の送信タイミングの例が示されている。図１５の（ｂ）には、情報提供サーバ１が提供する番組特定情報の変化が示されている。具体的には、期間Ｘの間は、「ニュースＣ」を特定する番組特定情報が情報提供サーバ１から送信され、期間Ｙおよび期間Ｚでは、「ドラマＢ」を特定する番組特定情報が情報提供サーバ１から送信される場合の例が示されている。
【０１３５】
また、図１５（ｂ）に示すように、番組特定情報は、実質的に図１５（ａ）と同じタイミングで、配信される映像番組の番組特定情報の切替えが行なわれる。つまり、番組特定情報は、録画機能付きテレビ９にすでに録画記録されている映像番組である「ニュースＣ」と放送局５（不図示）から配信される映像番組である「ドラマＢ」と実質的に同期している。
【０１３６】
図１５の（ｃ）には、情報提供サーバ１から送信される番組関連情報送信タイミングの例が示されている。図１５の（ｃ）に示されるように、放送局５から配信されている映像番組の番組特定情報と、その映像番組に関連する番組関連情報（メタデータ）の送信可能時期との間には一定の時間差が存在する。
【０１３７】
より具体的には、期間Ｘでは、録画機能付きテレビ９は、録画済の映像番組「ニュースＣ」を再生表示しているため、この映像番組「ニュースＣ」の番組関連情報はすでに過去に生成されている。そのため、「ニュースＣ」に対応する番組関連情報は、実質的に「ニュースＣ」の表示の経過と一緒（同期して）に携帯端末２が取得することが可能である。一方、期間Ｙにおいて、録画機能付きテレビ９は映像番組「ドラマＢ」を表示する。この映像番組は、放送局５から配信される映像番組であるため、この映像番組の番組関連情報は、映像番組「ドラマＢ」よりも所定時間おくれて提供される。つまり、携帯端末２は、期間Ｙ中は「ドラマＢ」の番組関連情報を「ドラマＢ」と同期（連動）して取得することができず、所定の時間経過後の期間Ｚで「ドラマＢ」の番組関連情報を取得することが可能となる。
【０１３８】
したがって、本実施の形態における携帯端末２（端末制御部２３）は、実施の形態１と同様に、「ドラマＢ」の番組関連情報を取得できるまでの間、直前に録画機能付きテレビ９が表示していた映像番組の番組関連情報を表示部２４に表示する。より具体的には、図１６Ａに示すように、携帯端末２の表示部２４では、期間Ｘおよび期間Ｙの間、取得済の「ニュースＣ」の番組関連情報のみを携帯端末は表示する。
【０１３９】
そして、期間Ｚになると、携帯端末２は、「ドラマＢ」の番組関連情報の取得が可能となる。しかし、期間Ｚになってからもしばらくの間、十分な数の番組関連情報を取得できない場合がある。その場合には、図１６Ｂに示すように、携帯端末２は、直前に視聴していた「ニュースＣ」の番組関連情報と、新たに取得した「ドラマＢ」の番組関連情報の両方を表示部２４に表示する。
【０１４０】
さらに時間が経過し、携帯端末２が「ドラマＢ」について十分な数の番組関連情報を取得すると、図１６Ｃに示すように、表示部２４には、すべて「ドラマＢ」のみに関する番組関連情報が表示される。
【０１４１】
［３−２．効果等］
以上のように、本実施の形態によれば、携帯端末２の利用者は、映像番組切り換え後の番組関連情報が十分に取得できない場合でも、直前に視聴（再生）等していた映像番組の番組関連情報を表示することができる。これにより、視聴者は携帯端末２」で何らかの番組関連情報を表示することができるので、なにも番組関連情報が表示できない状態を回避することができる。
【０１４２】
したがって、映像番組に関連する番組関連情報（メタデータ）が実際の映像番組の放送等に対して時間的な遅れを伴って配信される場合でも、当該メタデータが配信されるまで、実際の映像番組の放送等に対するメタデータを表示画面に表示できずに利用者にストレスを与えてしまうということを防止することができる。
【０１４３】
（実施の形態４）
以下、図１７Ａおよび図１７Ｂを用いて、携帯端末（情報表示装置）が番組関連情報を表示する際の表示例について、実施の形態３として説明する。
【０１４４】
図１７Ａおよび図１７Ｂは、本実施の形態における番組関連情報の表示例を示す図である。
【０１４５】
図１７Ａには、図９Ａに示す単一の映像番組の番組関連情報の表示例とは異なる表示例が示されている。具体的には、表示部２４の上部に映像番組の番組名「映画Ａ」が表示され、その下にその映像番組の「番組関連情報」が表示されている。
【０１４６】
図１７Ｂには、図９Ｂに示す現在視聴中の映像番組の番組関連情報と、他の映像番組の番組関連情報とが混在表示された表示例とは異なる表示例が示されている。具体的には、表示部２４の最上部に、現在表示している映像番組の番組名「ドラマＢ」が表示され、その下に、現在表示中の映像番組「ドラマＢ」番組関連情報が表示される。さらに、その下には、直前等に視聴していた他の映像番組の番組名「映画Ａ」が表示され、番組名「映画Ａ」の下に、他の映像番組の番組関連情報が表示される。
【０１４７】
以上、本実施の形態で説明した表示例によれば、携帯端末（情報表示装置）の利用者がいずれの番組関連情報が、いずれの番組に対応するものか、を容易に識別することができる。
【０１４８】
（他の実施の形態）
以上のように、本出願において開示する技術の例示として、実施の形態１〜４を説明した。しかしながら、本開示における技術は、これに限定されず、適宜、変更、置き換え、付加、省略などを行った実施の形態にも適用可能である。また、上記実施の形態１〜４で説明した各構成要素を組み合わせて、新たな実施の形態とすることも可能である。
【０１４９】
また、以下のような場合も本開示に含まれる。
【０１５０】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１５１】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０１５２】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０１５３】
（４）本開示は、上記に示す方法で実現されてもよい。また、これらの方法をコンピュータにより実現するコンピュータプログラムで実現してもよいし、コンピュータプログラムからなるデジタル信号で実現してもよい。
【０１５４】
例えば、上記各実施の形態の情報表示装置などを実現するソフトウェアは、次のようなプログラムである。
【０１５５】
すなわち、このプログラムは、コンピュータに、映像表示装置が表示する映像番組に連動して前記映像番組に関連する番組関連情報を取得する取得ステップと、前記取得ステップにおいて取得された番組関連情報を表示部に表示させる制御ステップと、を含み、前記制御ステップでは、前記取得ステップにおいて前記映像表示装置で表示されている第１映像番組に関連する第１番組関連情報を前記第１映像番組に連動して取得できない場合、前記第１映像番組が前記映像表示装置で表示される前に配信されていた第２番組関連情報、または、前記映像表示装置で前記第１映像番組が表示される前に表示されていた第２映像番組に関連する第３番組関連情報を前記表示部に表示させることを実行させる。
【０１５６】
また、本開示は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したもので実現してもよい。また、これらの記録媒体に記録されているデジタル信号で実現してもよい。
【０１５７】
また、本開示は、コンピュータプログラムまたはデジタル信号を、電気通信回線、無線または有線通信回線、インターネットを代表とするネットワーク、データ放送等を経由して伝送してもよい。
【０１５８】
また、本開示は、マイクロプロセッサとメモリを備えたコンピュータシステムであって、メモリは、コンピュータプログラムを記憶しており、マイクロプロセッサは、コンピュータプログラムにしたがって動作してもよい。
【０１５９】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０１６０】
（５）上記実施の形態および上記変形例をそれぞれ組み合わせるとしてもよい。
【０１６１】
以上のように、本開示における技術の例示として、実施の形態を説明した。そのために、添付図面および詳細な説明を提供した。
【０１６２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６３】
また、上述の実施の形態は、本開示における技術を例示するためのものであるから、請求の範囲またはその均等の範囲において種々の変更、置き換え、付加、省略などを行うことができる。
【産業上の利用可能性】
【０１６４】
本開示は、映像番組に対応する番組関連情報がない場合でも、利用者へのストレスを緩和させる情報表示装置に適用可能である。具体的には、携帯端末やテレビ上に、視聴中のテレビ番組に関連する情報を表示する情報表示装置等に本開示は利用できる。
【符号の説明】
【０１６５】
１  情報提供サーバ
２、６  携帯端末
３、７  テレビ
４  ネットワーク
５  放送局
８  番組特定サーバ
９  録画機能付きテレビ
１１  制御部
１２  情報送信部
１３  番組関連情報データベース
２１、６２  番組位置特定部
２２  情報取得部
２３  端末制御部
２４  表示部
２５  取得情報保持部
３１  チューナ部
３２  番組位置送信部
３３  表示部
６１  マイク
９４  ＨＤＤ
２４１  メタデータ表示領域
３０１  ＣＰＵ
３０２  メモリ
３０３  ネットワークインターフェイス
３０４  無線インターフェイス
３０５  ディスプレイ
【図１】
2013124917.tif 000003
【図２Ａ】
2013124917.tif 000004
【図２Ｂ】
2013124917.tif 000005
【図２Ｃ】
2013124917.tif 000006
【図３】
2013124917.tif 000007
【図４】
2013124917.tif 000008
【図５】
2013124917.tif 000009
【図６】
2013124917.tif 000010
【図７】
2013124917.tif 000011
【図８】
2013124917.tif 000012
【図９Ａ】
2013124917.tif 000013
【図９Ｂ】
2013124917.tif 000014
【図９Ｃ】
2013124917.tif 000015
【図１０】
2013124917.tif 000016
【図１１】
2013124917.tif 000017
【図１２】
2013124917.tif 000018
【図１３】
2013124917.tif 000019
【図１４】
2013124917.tif 000020
【図１５】
2013124917.tif 000021
【図１６Ａ】
2013124917.tif 000022
【図１６Ｂ】
2013124917.tif 000023
【図１６Ｃ】
2013124917.tif 000024
【図１７Ａ】
2013124917.tif 000025
【図１７Ｂ】
2013124917.tif 000026
【手続補正書】
【提出日】平成26年5月27日(2014.5.27)
【手続補正１】
【補正対象書類名】明細書
【補正対象項目名】全文
【補正方法】変更
【補正の内容】
【発明の詳細な説明】
【技術分野】
【０００１】
本発明は、テレビ番組に関連する情報を表示するための情報表示装置に関する。
【背景技術】
【０００２】
特許文献１には、テレビ番組やＣＭなどの放送内容に関連したメタデータを受信し、情報を把握しやすい表示画面を提供する内容が開示されている。
【先行技術文献】
【特許文献】
【０００３】
【特許文献１】特開２０１１−９１６７５号公報
【発明の概要】
【発明が解決しようとする課題】
【０００４】
しかし、テレビ番組に関連するメタデータ（番組関連情報）がそのテレビ番組の実際の放送等の時間に遅れて配信される場合があり、その場合には、表示画面に何も表示されず利用者にストレスを与えるという問題がある。
【０００５】
そこで、本開示は、映像番組に対応する番組関連情報がない場合でも、利用者へのストレスを緩和させる情報表示装置を提供する。
【課題を解決するための手段】
【０００６】
本開示における情報表示装置は、表示部と、映像表示装置が表示する映像番組に連動して前記映像番組に関連する番組関連情報を取得する取得部と、前記取得部により取得された番組関連情報を前記表示部に表示させる制御部と、を備え、前記制御部は、前記取得部が前記映像表示装置で表示されている第１映像番組に関連する第１番組関連情報を前記第１映像番組に連動して取得できない場合、前記第１映像番組が前記映像表示装置で表示される前に配信されていた第２番組関連情報、または、前記映像表示装置で前記第１映像番組が表示される前に表示されていた第２映像番組に関連する第３番組関連情報を前記表示部に表示させる。
【発明の効果】
【０００７】
本開示における情報表示装置は、映像番組に対応する番組関連情報がない場合でも、利用者へのストレスを緩和させることができる。
【図面の簡単な説明】
【０００８】
【図１】図１は、実施の形態１に係る番組関連情報提供システムの構成例を示す図である。
【図２Ａ】図２Ａは、実施の形態１に係る情報提供サーバの構成を示すブロック図である。
【図２Ｂ】図２Ｂは、実施の形態１に係る携帯端末の構成を示すブロック図である。
【図２Ｃ】図２Ｃは、実施の形態１に係るテレビの構成を示すブロック図である。
【図３】図３は、実施の形態１に係る携帯端末のハードウェア構成図である。
【図４】図４は、実施の形態１に係る番組関連情報提供システムを構成する情報提供サーバと、携帯端末とテレビとの間の処理を示すシーケンス図である。
【図５】図５は、実施の形態１に係る番組特定情報の一例を示す図である。
【図６】図６は、実施の形態１に係る番組関連情報の一例を示す図である。
【図７】図７は、実施の形態１に係る携帯端末の表示部に番組関連情報が表示された場合の例を示す図である。
【図８】図８は、ユーザが視聴中の映像番組が切り替わる場合に番組関連情報が取得できるタイミング例を示す図である。
【図９Ａ】図９Ａは、本実施の形態における携帯端末の表示部の表示例を示す図である。
【図９Ｂ】図９Ｂは、本実施の形態における携帯端末の表示部の表示例を示す図である。
【図９Ｃ】図９Ｃは、本実施の形態における携帯端末の表示部の表示例を示す図である。
【図１０】図１０は、実施の形態１における携帯端末制御の流れを説明するためのフローチャートである。
【図１１】図１１は、実施の形態２における番組関連情報提供システムの構成例を示す図である。
【図１２】図１２は、実施の形態２における携帯端末の構成ブロック図である。
【図１３】図１３は、実施の形態３における番組関連情報提供システムの構成例を示す図である。
【図１４】図１４は、実施の形態３における録画機能付きテレビの機能構成を示す図である。
【図１５】図１５は、実施の形態３においてユーザが視聴中の映像番組と番組特定情報と番組関連情報との時間的関係を示す図である。
【図１６Ａ】図１６Ａは、実施の形態３における携帯端末の表示部の表示例を示す図である。
【図１６Ｂ】図１６Ｂは、実施の形態３におけるにおける携帯端末の表示部の表示例を示す図である。
【図１６Ｃ】図１６Ｃは、実施の形態３におけるにおける携帯端末の表示部の表示例を示す図である。
【図１７Ａ】図１７Ａは、実施の形態４における番組関連情報の表示例を示す図である。
【図１７Ｂ】図１７Ｂは、実施の形態４における番組関連情報の表示例を示す図である。
【発明を実施するための形態】
【０００９】
（本発明の一態様を得るに至った経緯）
特許文献１で開示される技術を用いることで、テレビ番組やＣＭなどの放送内容に関連したメタデータ（番組関連情報）を受信し、情報を把握しやすい表示画面を提供することができるようになる。
【００１０】
しかし、メタデータ（番組関連情報）は実際のテレビ番組の放送と完全に一致するタイミングで送信されるわけではなく、実際にはテレビ番組の放送からある程度遅れてメタデータ（番組関連情報）が配信される場合がある。
【００１１】
つまり、テレビ番組に関連するメタデータ（番組関連情報）が実際の、テレビ番組の放送等に対して時間的な遅れを伴って配信される場合、当該メタデータが配信されるまで、表示するメタデータが無い場合がある。その場合には、表示画面に何も表示されず利用者にストレスを与えるという問題がある。
【００１２】
そこで、本開示は、映像番組に対応する番組関連情報がない場合でも、利用者へのストレスを緩和させる情報表示装置を提供する。
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者（ら）は、当業者が本開示を十分に理解するために添付図面および以下の説明を提供するのであって、これらによって請求の範囲に記載の主題を限定することを意図するものではない。
【００１５】
（実施の形態１）
以下、図１〜図１０を用いて、実施の形態１を説明する。
【００１６】
［１−１．構成］
図１は、本実施の形態に係る番組関連情報提供システムの構成例を示す図である。図２Ａは、実施の形態１に係る情報提供サーバの構成を示すブロック図である。図２Ｂは、実施の形態１に係る携帯端末の構成を示すブロック図である。図２Ｃは、実施の形態１に係るテレビの構成を示すブロック図である。図３は、携帯端末のハードウェア構成例を示す図である。
【００１７】
図１に示す番組関連情報提供システムは、情報提供サーバ１と、携帯端末２と、テレビ３と、ネットワーク４と、放送局５と、を備える。
【００１８】
ネットワーク４は、携帯端末２と、情報提供サーバ１とを接続させるための通信媒体である。
【００１９】
放送局５は、テレビ３が表示する映像番組を配信する配信元である。本実施の形態では、放送局を例として示すが、これに限定されない。テレビ３へ映像番組を送信するものであれば、放送局５に限らず、ケーブルテレビの配信局であってもよいし、ビデオオンデマンドのサーバ等であってもよい。
【００２０】
情報提供サーバ１は、テレビ３等で表示されている映像番組を特定する情報（番組特定情報）および放送されるテレビ番組等の映像番組に関連する番組関連情報（メタデータ）を提供する。情報提供サーバ１は、携帯端末２等からの番組特定情報および番組関連情報の提供要求に応じて、番組特定情報および番組関連情報を携帯端末２等に送信する。
【００２１】
なお、以下の実施の形態で説明する「番組関連情報（メタデータ）」とは、映像番組に関連する情報である。例えば、番組関連情報は、テレビ３で表示されている映像番組中に俳優などの人物が表示されている場合には、その俳優の各種情報（生年月日、性別、出演作品、俳優歴などのプロフィールや、その俳優に関するニュース）などである。また、例えば、映像番組中に商品が表示されている場合は、その商品の情報（製造メーカ、販売代理店、商品価格、商品紹介のＵＲＬ、商品レビュー等の情報）が番組関連情報である。なお、番組関連情報は、上記例以外でもよい。例えば、映像番組でニュースが表示されている場合には、ニュースに関する情報（ニュースの概略、ニュース対象の主体、関連するニュース、当該ニュースに対する世間の評判等の情報）が番組関連情報であるとしてもよい。
【００２２】
つまり、番組関連情報（メタデータ）とは、映像番組で表示、又は話題として取り上げられる内容、これらに関連する間接的な内容に関する情報のことを意味する。
【００２３】
また、情報提供サーバ１は、図２Ａに示すように、制御部１１と、情報送信部１２と、番組関連情報データベース１３と、を備える。
【００２４】
制御部１１は、情報提供サーバ１全体を制御するとともに、携帯端末２から映像番組の放送局、表示日時等の番組情報を受信するまたは番組関連情報提供の要求を受信すると、当該番組情報に対応する番組特定情報や、当該映像番組の番組関連情報を送信する制御を行なう。
【００２５】
情報送信部１２は、制御部１１が番組関連情報データベース１３から取得した番組特定情報や番組関連情報を携帯端末２へ送信する。
【００２６】
番組関連情報データベース１３は、それぞれの映像番組を特定する情報（番組特定情報）およびそれら映像番組に関連する番組関連情報を記録または保持している。
【００２７】
携帯端末２は、情報表示装置の一例であり、番組特定情報と、番組関連情報（メタデータ）とを、情報提供サーバ１から受信し、利用者（ユーザ）に受信した情報を表示する。
【００２８】
携帯端末２は、図２Ｂに示すように、番組位置特定部２１と、情報取得部２２と、端末制御部２３と、表示部２４と、取得情報保持部２５と、を備える。ここで、携帯端末２は、ネットワーク４を介して情報提供サーバ１と物理的に直接接続されていてもよいし、ネットワーク４中で１つまたは複数の装置を介在させて情報提供サーバ１と接続されるものであってもよい。
【００２９】
番組位置特定部２１は、例えば、利用者がテレビ３で視聴している映像番組の放送局（配信元）、および、当該映像番組の表示日時を含む番組位置などの当該映像番組の番組情報を、テレビ３と通信することにより取得する。番組位置特定部２１は、テレビ３と無線による通信、又は有線による通信により、番組情報を取得する。
【００３０】
情報取得部２２は、情報提供サーバ１からネットワーク４を介して、番組特定情報および番組関連情報（メタデータ）を取得（受信）する。情報取得部２２は、例えば、テレビ３が表示する映像番組に連動して映像番組に関連する番組関連情報を取得する。また、情報取得部２２は、例えば、テレビ３で表示される映像番組（第１映像番組）に関連する番組関連情報（第１番組関連情報）をその映像番組（第１映像番組）に連動させて取得できない場合、第１映像番組がテレビ３で表示される前に配信されていた番組関連情報（第２番組関連情報）またはテレビ３で第１映像番組が表示される前に表示されていた映像番組（第２映像番組）に関連する番組関連情報（第３番組関連情報）を再度取得する。
【００３１】
端末制御部２３は、携帯端末２全体を制御する。例えば、端末制御部２３は、情報取得部２２に番組関連情報を取得させたり、表示部２４に情報を表示させたりする。つまり、端末制御部２３は、情報取得部２２に取得させた番組関連情報を表示部２４に表示させる。より具体的には、端末制御部２３は、情報取得部２２がテレビ３で表示される第１映像番組に関連する第１番組関連情報を第１映像番組に連動させて取得できない場合、第１映像番組がテレビ３で表示される前に配信されていた第２番組関連情報、または、テレビ３で第１映像番組が表示される前に表示されていた第２映像番組に関連する第３番組関連情報を表示部２４に表示させる。
【００３２】
表示部２４は、端末制御部２３に制御され、番組特定情報や、表示対象となった番組関連情報を表示する。なお、表示部２４は、情報取得部２２により取得された番組関連情報を表示するための第１数の表示領域を有しているが、後述するためここでの説明は省略する。
【００３３】
取得情報保持部２５は、情報取得部２２が情報提供サーバ１から取得した番組特定情報および番組関連情報を記録または保持する。例えば、取得情報保持部２５は、第１映像番組がテレビ３で表示される前に情報取得部２２により取得された第２番組関連情報または第３番組関連情報を保持する。
【００３４】
なお、携帯端末２は、例えば、図３に示すハードウェアにより構成される。すなわち、携帯端末２は、例えば図３に示すように、ＣＰＵ３０１と、メモリ３０２と、ネットワークインターフェイス３０３と、無線インターフェイス３０４と、ディスプレイ３０５と、を備えるハードウェア構成により実現される。
【００３５】
ＣＰＵ３０１は、携帯端末２全体を制御する。具体的に制御する部分は、ＣＰＵ上で動作するソフトウェアプログラム等により実現される。なお、ＣＰＵ３０１は、図２Ｂに示す端末制御部２３等に該当する。
【００３６】
メモリ３０２は、データを記録する。メモリ３０２には、上記ＣＰＵ３０１上で動作するソフトウェアプログラムのコードや、ソフトウェアプログラム動作時の一時変数、または、情報提供サーバ１から取得した番組を特定する番組特定情報、番組関連情報等を記録する。なお、メモリ３０２は、図２Ｂに示す端末制御部２３や、取得情報保持部２５等に該当する。
【００３７】
ネットワークインターフェイス３０３は、ネットワーク接続された外部機器からデータを送受信する。なお、ネットワークインターフェイス３０３は、図２Ｂに示す情報取得部２２等に該当する。
【００３８】
無線インターフェイス３０４は、映像視聴中の映像番組の放送局および放送日時等の情報を含む番組位置情報などを含む、テレビ３から送信される番組情報を受信する。なお、本実施の形態では、無線を例としてハードウェアを構成する場合について説明するがこれに限定されない。有線による接続でもよいし、その他方法でテレビ３から情報を取得等するものであってもよい。
【００３９】
ディスプレイ３０５は、取得した番組関連情報等を表示する表示装置である。ディスプレイ３０５は、図２Ｂに示す表示部２４に該当する。
【００４０】
テレビ３は、映像番組を表示する映像表示装置の一例であり、携帯端末２の利用者が、映像番組を視聴するための装置である。テレビ３は、図２Ｃに示すようにチューナ部３１と、番組位置送信部３２と、表示部３３と、を備える。
【００４１】
チューナ部３１は、放送局５から配信される映像番組を受信し、復調等して表示部３３で映像を表示できるように変換する。
【００４２】
番組位置送信部３２は、表示部３３で表示されている映像番組の放送局、表示日時（番組位置）などを含む番組情報を特定する。放送局、表示日時などを含む番組情報は、携帯端末２へ無線による通信、又は有線による通信等により通知される。
【００４３】
表示部３３は、チューナ部３１等で復調された映像番組を表示する。
【００４４】
以上のように構成された番組関連情報提供システムでは、テレビ３の視聴者は、放送局５から配信される映像番組をテレビ３で映像番組を視聴するとともに、情報提供サーバ１から取得した番組を特定する番組特定情報を取得する。さらに、当該番組特定情報に基づいて、携帯端末２は番組関連情報を取得して表示する。それにより、視聴者（ユーザ）は、テレビ３で視聴中の映像番組内で関心のある内容について、携帯端末２を用いてより詳細な情報を取得することができる。
【００４５】
［１−２．動作］
以上のように構成された番組関連情報提供システムについて、以下、それぞれの動作について詳細に説明する。
【００４６】
図４は、本実施の形態における番組関連情報提供システムを構成する情報提供サーバ１と、携帯端末２と、テレビ３との間の処理の流れを示すシーケンス図である。
【００４７】
まず、携帯端末２の番組位置特定部２１は、テレビ３の番組位置送信部３２に対して、テレビ３が表示中の映像番組を配信する放送局やその映像番組の表示日時（番組位置）などを含む番組情報を要求する要求信号を送信する（Ｓ４０１）。
【００４８】
次に、番組位置特定部２１は、テレビ３の番組位置送信部３２から、テレビ３が表示する映像番組を配信する放送局やその映像番組の表示日時などを含む番組情報を受信する（Ｓ４０２）。
【００４９】
次に、携帯端末２の端末制御部２３は、番組位置特定部２１が受信したテレビ３が表示中の映像番組を配信する放送局、表示日時などを含む番組情報を情報提供サーバ１へ送信する（Ｓ４０３）。
【００５０】
次に、情報提供サーバ１の制御部１１は、受信した番組情報に基づいて番組関連情報データベース１３から、受信した番組情報に対応する映像番組を特定する情報（番組特定情報）を検索または取得する。制御部１１は、取得した映像番組を特定する情報（番組特定情報）を、情報送信部１２を介して携帯端末２へ送信する。情報送信部１２は、番組関連情報データベース１３から検索、取得された番組特定情報を携帯端末２に対して送信する（Ｓ４０４）。
【００５１】
なお、映像番組を特定する情報（番組特定情報）とは、例えば、放送局（映像配信元）、番組名、番組内での視聴位置（映像番組開始時からの経過時間等）、番組放送日時（配信日時）、番組内でのチャプタ番号、等である。本実施の形態では、上記のような情報を番組特定情報として取得する場合の例について説明するが、これに限定されない。番組特定情報は、番組を特定できる情報、番組内での視聴部分等を特定できる情報であれば、上記例とは異なる情報構成であってもよい。
【００５２】
図５は、本実施の形態における番組特定情報の一例を示す図５である。図５に示す例では、番組特定情報は、ＩＤと、番組名と、放送局と、番組開始日時と、番組終了日時と、番組内容の説明（概略）と、を示す情報で構成されている。換言すると、情報提供サーバ１と携帯端末２との間では、図５に示すような内容の情報を番組特定情報として送受信する。
【００５３】
ここで、ＩＤは、映像番組を特定する情報を識別するための識別子である。番組名は、映像番組の名称を示す文字列等の情報である。放送局は、当該映像番組を配信する配信元を識別するための情報である。番組開始日時および番組終了日時は、当該映像番組が配信開始および配信終了される日時を示す。説明は、当該映像番組について概略説明等の情報である。
【００５４】
以下、図４に戻って説明する。
【００５５】
次に、携帯端末２は、情報提供サーバ１からテレビ３で視聴中の映像番組を特定する情報（番組特定情報）を取得すると、その番組特定情報に基づいて、番組関連情報を取得する。具体的には、まず、携帯端末２の端末制御部２３は、取得した番組特定情報を情報提供サーバ１へ送信する（Ｓ４０５）。
【００５６】
次に、情報提供サーバ１の制御部１１は、送信された番組特定情報に基づいて、番組関連情報データベース１３から映像番組に対応する番組関連情報（メタデータ）を検索または取得する。そして、制御部１１は、検索または取得した番組関連情報を、情報送信部１２を介して携帯端末２へ送信する（Ｓ４０６）。
【００５７】
図６は、本実施の形態における番組関連情報の一例を示す図である。番組関連情報は、例えば図６に示すように、メタＩＤと、番組ＩＤと、表示日時と、カテゴリと、タイトルと、説明文と、画像ＵＲＬと、リンク先ＵＲＬとで構成されている。
【００５８】
ここで、メタＩＤは、それぞれの番組関連情報を識別するための識別子である。番組ＩＤは、視聴中の映像番組を識別するための識別子である。なお、この番組ＩＤは、図５に示すＩＤと一致するものであってもよい。
【００５９】
表示日時は、当該番組関連情報が映像番組のどの時点で関連するものかを示す情報である。例えば、表示日時「２０１２／１／１、１２：０５」の場合は、２０１２年１月１日の１２：０５時点で放送局等から送信されている映像番組の部分を示している。本実施の形態では、この表示日時を絶対時間で表示しているが、番組開始からの相対時間で表示するものであってもよい。つまり、この項目は番組内での部分（時間的な位置）等を特定するもの（番組位置情報）であればいずれの方法であってもよい。
【００６０】
カテゴリは、当該番組関連情報のカテゴリを示している。これは提供される個々の番組関連情報の内容に応じてそれぞれの種類が決定される。タイトルは、番組関連情報の名称である。このタイトルには、その番組関連情報の内容の概略を把握するために好適な名称が使用されている。説明分には、該当する番組関連情報の詳細な内容が記載されている。説明文に記載される内容（情報）は、一連の文字列等からしめされることが一般的である。
【００６１】
画像ＵＲＬは、当該番組関連情報に関連する画像を提供する情報元を示す情報である。それにより、携帯端末２は、必要に応じてネットワーク４を介して画像ＵＲＬに示された情報元（指定されたＵＲＬ）から画像を取得することができる。リンク先ＵＲＬは、当該番組関連情報について関連する情報、あるいはより詳細に説明した情報が情報提供サーバ１以外から提供可能な場合には、その提供元を示す情報である。
【００６２】
本実施の形態では、図６に示すような情報を番組関連情報として提供する場合の例について説明しているが、これに限定されない。番組関連情報は、図６に示す情報以外の情報を含んでいるとしてもよいし、図６に示す情報のうちいくつかの情報が削除された情報を含んでいるとしてもよい。
【００６３】
以下、再び図４に戻って説明する。
【００６４】
次に、携帯端末２は、情報提供サーバ１から番組関連情報（メタデータ）を受信する。そして、携帯端末２の端末制御部２３は、受信した番組関連情報（メタデータ）を表示部２４に表示させる（Ｓ４０７）。
【００６５】
以上のように、本実施の形態における番組関連情報提供システムでは、Ｓ４０１〜Ｓ４０７を繰り返すことで、携帯端末２に最新の番組関連情報を取得させることができる。
【００６６】
また、情報提供サーバ１の番組関連情報データベース１３には、放送局から配信される映像番組の進捗に応じて、時々刻々と最新の番組関連情報が追加される。そのため、携帯端末２は何度も情報提供サーバ１へアクセスすることで、最新の番組関連情報が取得できる。
【００６７】
図７は、携帯端末２の表示部２４（ディスプレイ３０５）に番組関連情報が表示された場合の例を示す図である。
【００６８】
表示部２４は、図７に示すように複数の表示領域（メタデータ表示領域２４１）に分割されている。それぞれの表示領域は、個々の番組関連情報（メタデータ）を表示するメタデータ表示領域２４１として区分される。図７に示す例では、表示部２４は、上下方向に２分割、横方向に４分割の、合計８個（第１数）のメタデータ表示領域２４１が設定されている。以下では、図７に示すように、８個（第１数）のメタデータ表示領域が設定されている場合について説明するが、表示の形態（メタデータ表示領域の個数、分割の仕方等）は図７の例に限定されるものではない。表示部２４が、複数のメタデータ表示領域２４１を備えているものであれば、いずれの表示態様であってもよい。
【００６９】
なお、携帯端末２は表示部２４に表示可能な番組関連情報の数以上に、情報提供サーバ１から当該映像番組の番組関連情報を取得した場合、取得した番組関連情報の内最新の番組関連情報（図６の表示日時が新しいもの）を優先的に表示し、他の番組関連情報は、スクロール、ブック形式等で利用者の操作があった場合に表示するとしてもよい。
【００７０】
以下では、図８〜図１０を用いて、本実施の形態の情報表示装置（携帯端末２）が、映像番組に対応する番組関連情報がない場合でも、利用者（ユーザ）に番組関連情報（メタデータ）を表示することで、利用者へのストレスを緩和させる場合に例について説明する。
【００７１】
図８は、ユーザが視聴中の映像番組が切り替わる場合に番組関連情報が取得できるタイミング例を示す図である。
【００７２】
図８の（ａ）には、期間Ｂで視聴中の映像番組が期間Ｂで切り替わる例が示されている。すなわち、図８の（ａ）には、期間Ａにおいて、放送局５からテレビ３に「映画Ａ」が配信されており、期間Ｂおよび期間Ｃにおいて、放送局５からテレビ３に「ドラマＢ」が配信されている場合の例が示されている。
【００７３】
図８の（ｂ）には、情報提供サーバ１から送信される番組特定情報の送信タイミングの例が示されている。図８の（ｂ）に示されるように、番組特定情報は、放送局５から配信される映像番組である「映画Ａ」および「ドラマＢ」と実質的に同期している。つまり、ある映像番組の配信が終了し、新たな番組の配信が開始されると、ほぼ同時にその番組特定情報が更新される。これは、放送局５から配信される映像番組は予め決められているため、実際の映像配信にそって番組特定情報を更新することができるためである。
【００７４】
図８の（ｃ）には、情報提供サーバ１から送信される番組関連情報の送信タイミングの例が示されている。図８の（ｃ）に示されるように、番組関連情報（メタデータ）は、番組特定情報とは異なり、映像番組の内容と、その映像番組に関連する番組関連情報（メタデータ）の送信可能時期との間には一定の時間差が存在する。これは、映像番組が放送されると、放送されたタイミング（時刻）から自動又は人手で番組関連情報が生成され、番組関連情報データベース１３に登録されることに起因する。つまり、この時間差は、映像番組が放送されてから、番組関連情報が作成されるまでに時間を要することから生じてしまう。そのため、切り替わった後の映像番組の番組関連情報の送信可能時期は、切り替わった後の映像番組が表示される時期より遅れる。
【００７５】
より具体的には、図８の（ａ）において、期間Ａから期間Ｂに変わり、表示される（視聴される）映像番組が「映画Ａ」から「ドラマＢ」へと変わる。しかし、そのタイミングでは、まだ、番組関連情報としては「映画Ａ」の番組関連情報のみが送信可能であり、「ドラマＢ」の番組関連情報は送信できない。
【００７６】
そして、上記のように、映像番組に関連する番組関連情報（メタデータ）が実際の映像番組の放送等に対して時間的な遅れを伴って配信される場合、当該メタデータが配信されるまで、実際の映像番組の放送等に対するメタデータが表示できない。そのため、このままだと、表示画面に何も表示されず利用者にストレスを与えてしまう。
【００７７】
そこで、本実施の形態における携帯端末２は、上記の期間Ａ〜期間Ｃにおいて、以下に説明する動作を行う。
【００７８】
図９Ａ〜図９Ｃは、本実施の形態における携帯端末２の表示部２４の表示例を示す図である。図９Ａは、期間Ａおよび期間Ｂにおいて携帯端末２の表示部２４の表示例を示す図である。図９Ｂは、期間Ｃの初期において携帯端末２の表示部２４の表示例を示す図である。図９Ｃは、期間Ｃの一定期間経過後において携帯端末２の表示部２４の表示例を示す図である。
【００７９】
まず、図８に示す期間Ａおよび期間Ｂでは、携帯端末２が受信する番組関連情報はすべて「映画Ａ」に関するものである。そのため、表示部２４には、図９Ａに示すように、「映画Ａ」の番組関連情報のみが表示される。
【００８０】
次に、図８に示す期間Ｂから期間Ｃに変わった後の所定期間（期間Ｃの初期）では、図９Ｂに示すように、表示部２４には、「映画Ａ」の番組関連情報と、「ドラマＢ」の番組関連情報との両者が表示されている。これは、期間Ｂから期間Ｃに変わった直後とその後の所定期間（初期の期間）では、携帯端末２は、まだ「ドラマＢ」の番組関連情報が十分に取得できていないため、現在視聴中の番組である「ドラマＢ」の番組関連情報だけでなく、その直前に視聴等されていた期間Ａの「映画Ａ」の番組関連情報も表示部２４に表示する。
【００８１】
こうすることで、携帯端末２の利用者は、現在視聴中の映像番組の番組関連情報が十分ない場合でも、直前に視聴していた映像番組の番組関連情報を閲覧することが可能となる。
【００８２】
それにより、実際の映像番組の放送等に対するメタデータが表示できないからといって表示画面に何も表示されず利用者にストレスを与えてしまうということを防止することができる。
【００８３】
なお、この場合には、図９Ｂに示すように、いずれの情報が現時点で視聴している番組「ドラマＢ」の番組関連情報であり、いずれの情報が以前に視聴していた番組（過去の番組）「映画Ａ」の番組関連情報であるかを、明示的に区別できるように表示することが好ましい。図９Ｂに示す例では、表示部２４の表示面の上段に「映画Ａ」の番組関連情報が、下段に「ドラマＢ」の番組関連情報が表示されている場合の例が示されている。
【００８４】
次に、期間Ｃになってさらに時間が経過した場合（期間Ｃの一定期間経過後）では、携帯端末２に送信される番組関連情報がすべて「ドラマＢ」の番組関連情報となっているため、図９Ｃに示すように表示部２４には、「ドラマＢ」の番組関連情報のみが表示される。
【００８５】
以上のように動作される携帯端末２の制御の流れについて、図１０を用いて以下に説明する。
【００８６】
なお、図９Ａ〜図９Ｃでは、表示部２４に番組関連情報が何かしら表示されている例を示している。つまり、表示部２４が有する複数の表示領域（メタデータ表示領域２４１）すべてに番組関連情報が表示される必要まではないことを示している。
【００８７】
図１０は、本実施の形態における携帯端末２の制御の流れを説明するためのフローチャートである。
【００８８】
まず、端末制御部２３は、テレビ３で視聴者が視聴している映像番組を特定するために、テレビ３が表示している映像番組を配信している放送局と、映像番組の表示日時とを含む番組情報を番組位置特定部２１により取得する（Ｓ１００１）。
【００８９】
次に、端末制御部２３は、番組位置特定部２１により取得した、映像番組の放送局と表示日時とを含む番組情報を情報提供サーバ１に送信する。そして、端末制御部２３は、情報提供サーバ１からテレビ３で視聴者が視聴している番組を特定するための情報（番組特定情報）を、情報取得部２２を介して取得する（Ｓ１００２）。
【００９０】
次に、端末制御部２３は、取得した番組特定情報を、情報提供サーバ１へ送信する（Ｓ１００３）。
【００９１】
次に、端末制御部２３は、Ｓ１００３で送信した番組特定情報に対して、当該映像番組の番組関連情報（メタデータ）を取得できたか否かを判断する。番組関連情報を取得できた場合、端末制御部２３は処理をＳ１００５へ移す。反対に、番組関連情報を取得できない場合、端末制御部２３は処理をＳ１００６へ移す（Ｓ１００４）。
【００９２】
Ｓ１００４において、端末制御部２３は、送信した番組特定情報に対する番組関連情報を取得できた場合は（Ｓ１００４でＹＥＳ）、その番組関連情報を表示部２４に表示させる（Ｓ１００５）。
【００９３】
反対に、Ｓ１００４において、端末制御部２３は、送信した番組特定情報に対する番組関連情報を取得できない場合（Ｓ１００４でＮＯ）、直前に配信されていた番組関連情報を取得する（Ｓ１００６）。
【００９４】
そして、端末制御部２３は、取得した視聴中の映像番組とは異なる番組情報を、表示部２４に表示する（Ｓ１００７）。
【００９５】
なお、視聴している映像番組に対応する番組関連情報が取得できない場合、その映像番組の直前に配信されていた番組関連情報を取得する場合の例について説明したが、これに限らない。例えば、現在視聴している映像番組の番組関連情報が取得できない場合、以前に視聴者がテレビ３で視聴し、携帯端末２が取得して取得情報保持部２５に記録・保持する別の映像番組の番組関連情報を取得するとしてもよい。
【００９６】
以降の処理は、再度Ｓ１００１に戻る。そして、上記の処理を繰り返す。
【００９７】
このように、携帯端末２は、現在、テレビ３で視聴中の映像番組に対する番組関連情報が取得できるまで、別の番組の番組関連情報を表示する。ここで、別の番組は、現在視聴中の映像番組の直前に同じ放送局から配信されている映像番組の番組関連情報であってもよいし、視聴者が以前に視聴し、取得情報保持部２５等に保持している別の映像番組の番組関連情報であってもよい。
【００９８】
［１−３．効果等］
以上のように、本実施の形態において、情報表示装置（携帯端末２）は、映像表示装置（テレビ３）が表示する映像番組の配信元、表示日時等を含む番組情報を映像表示装置（テレビ３）より取得する番組位置特定部２１と、取得した番組情報を外部サーバ（情報提供サーバ１等）へ送信し、映像表示装置が表示する映像番組を特定する情報（番組特定情報）を取得し、当該番組特定情報を外部サーバ（情報提供サーバ１等）へ送信して、映像番組の番組関連情報を取得する情報取得部２２と、取得した番組関連情報を表示部２４へ表示させる端末制御部２３と、を備える。
【００９９】
なお、情報表示装置（携帯端末２）は、上記の構成をすべて備える必要はなく、少なくとも次の構成を備えればよい。すなわち、情報表示装置（携帯端末２）は、表示部（表示部２４）と、映像表示装置（テレビ３）が表示する映像番組に連動して映像番組に関連する番組関連情報を取得する取得部（情報取得部２２）と、取得部（情報取得部２２）により取得された番組関連情報を表示部（表示部２４）に表示させる制御部（端末制御部２３）と、を少なくとも備え、制御部（端末制御部２３）は、取得部（情報取得部２２）が映像表示装置（テレビ３）で表示されている第１映像番組に関連する第１番組関連情報を第１映像番組に連動して取得できない場合、第１映像番組が映像表示装置（テレビ３）で表示される前に配信されていた第２番組関連情報、または、映像表示装置（テレビ３）で第１映像番組が表示される前に表示されていた第２映像番組に関連する第３番組関連情報を表示部（表示部２４）に表示させる。
【０１００】
この構成により、情報表示装置（携帯端末２）は、映像表示装置に表示されている映像番組の番組関連情報が映像番組の逐時（リアルタイム）に連動して取得できない場合でも、その直前に配信されていた映像番組、または、映像表示装置（テレビ３）で再生されていた映像番組の番組関連情報を表示することができる。
【０１０１】
それにより、映像番組に対応する番組関連情報（メタデータ）が配信されない場合でも、情報表示装置の利用者は、他の番組等の番組関連情報（メタデータ）を閲覧することが可能となる。
【０１０２】
つまり、映像番組に対応する番組関連情報が配信されていない場合でも、視聴者には何かしらの番組関連情報（メタデータ）を表示することができる。そのため、映像番組に関連する番組関連情報（メタデータ）が実際の映像番組の放送等に対して時間的な遅れを伴って配信される場合でも、当該メタデータが配信されるまで、実際の映像番組の放送等に対するメタデータを表示画面に表示できずに利用者にストレスを与えてしまうということを防止することができる。
【０１０３】
また、前記表示部は、前記取得部により取得された番組関連情報を表示するための第１数の表示領域を有しており、前記制御部は、前記取得部が前記第１番組関連情報を前記第１数よりも少ない第２数の番組関連情報しか前記第１映像番組に連動して取得できなかった場合、前記第２数の番組関連情報それぞれを前記第２数の表示領域それぞれに表示させ、かつ、前記第２番組関連情報または前記第３番組関連情報を、前記第１数から前記第２数を引いた残りの表示領域の少なくとも１つに表示させるとしてもよい。
【０１０４】
この構成により、表示部（表示部２４）の表示領域の大きさ（番組関連情報が表示できる領域数）に対して十分な数の番組関連情報を取得できない場合には、映像番組の番組関連情報とともに、当該映像番組の前に配信、または、前記映像表示装置（テレビ３）で再生されていた映像番組の番組関連情報との両者を同時に表示部（表示部２４）に表示することができる。
【０１０５】
それにより、利用者により多くの番組関連情報を提供することが可能であるだけでなく、表示領域の大きさ（番組関連情報が表示できる領域数）に対して十分な番組関連情報が配信されるまで、実際の映像番組の放送等に対する番組関連情報を表示画面に表示できずに利用者にストレスを与えてしまうということを防止することができる。
【０１０６】
ここで、前記情報表示装置は、さらに、前記第１映像番組が前記映像表示装置で表示される前に前記取得部により取得された前記第２番組関連情報または前記第３番組関連情報を保持する取得情報保持部を備え、前記制御部は、前記取得部が前記第１番組関連情報を前記第１映像番組に連動させて取得できない場合、前記第２番組関連情報または前記第３番組関連情報を前記取得情報保持部に保存された前記第２番組関連情報または前記第３番組関連情報を前記表示部に表示させるとしてもよい。
【０１０７】
この構成により、制御部（端末制御部２３）は、映像表示装置（テレビ３）で表示している映像番組の番組関連情報が取得できない場合に、例えば映像表示装置の放送局等のチャンネルを変えた場合にそのチャンネルで過去配信されていた番組関連情報など現在表示している映像番組の前に配信されていた映像番組の番組関連情報を外部のサーバ（情報提供サーバ１）等で取得し、表示部に表示することができる。
【０１０８】
また、前記取得部は、前記第１番組関連情報を前記第１映像番組に連動して取得できない場合、前記第２番組関連情報または前記第３番組関連情報を外部から取得するとしてもよい。
【０１０９】
つまり、この構成の場合、取得した番組関連情報は取得情報保持部に保持される。それにより、制御部（端末制御部２３）は、取得情報保持部に蓄積されている番組関連情報を取得して表示部に表示することができる。
【０１１０】
このように、本実施の形態の情報表示装置（携帯端末２）が表示部に表示する番組関連情報は、直前に配信されていた映像番組、あるいは、映像表示装置（テレビ３）で再生されていた映像番組の番組関連情報が、取得部（情報取得部２２）により、再度外部サーバ等から取得されたものであってもよいし、予め取得情報保持部に保持されたものから取得されたものであってもよい。
【０１１１】
それにより、携帯端末２が、現在の映像番組の番組関連情報を取得できない場合でも、他の映像番組の番組関連情報を取得し、それを表示することが可能となる。この場合、携帯端末２の利用者は、現在の映像番組の番組関連情報が取得できるまでの間、他の映像番組の番組関連情報を見ることができる。また、現在の映像番組の番組関連情報が取得できた場合は、その番組関連情報で表示が更新されるため、視聴者は現在の番組の番組関連情報の見過ごしを防ぐことができる。
【０１１２】
（実施の形態２）
以下、図１１および図１２を用いて、実施の形態１で説明した番組関連情報提供システムと異なる例を、実施の形態２として説明する。
【０１１３】
［２−１．構成］
図１１は、本実施の形態における番組関連情報提供システムの構成例を示す図である。図１２は、本実施の形態における携帯端末の構成を示すブロック図である。本実施の形態の番組関連情報提供システム（図１１）と実施の形態１で説明した番組関連情報提供システム（図１）との相違点は、（１）テレビ７（テレビ３）が表示している映像番組の情報を、携帯端末６（携帯端末２）が取得する方法と、（２）携帯端末６が番組特定情報を問い合わせるサーバが情報提供サーバ１とは独立した番組特定サーバ８である点と、である。それ以外の点については、実施の形態１と同じであるので説明を省略する。
【０１１４】
携帯端末６は、情報表示装置の一例であり、情報取得部２２と、端末制御部２３と、表示部２４と、取得情報保持部２５と、マイク６１と、番組位置特定部６２と、を備える。
【０１１５】
情報取得部２２と、端末制御部２３と、表示部２４と、取得情報保持部２５とは実施の形態１と同じであるので説明を省略する。
【０１１６】
マイク６１は、映像番組を表示するテレビ７が出力する音声を取得する。具体的には、マイク６１は、テレビ７が映像番組を表示する際に出力する音声を取得し、電気信号に変換する。そして、マイク６１は、変換した音声電気信号を、番組位置特定部６２に出力する。
【０１１７】
番組位置特定部６２は、マイク６１が取得した音声から映像番組を特定する。具体的には、番組位置特定部６２は、マイク６１から入力された音声電気信号を所定の処理で演算する。その結果、テレビ７で表示中の映像番組の放送局と表示日時などの番組情報を取得する。
【０１１８】
番組位置特定部６２は、映像番組の放送局や表示日時など、特定した番組情報を番組特定サーバ８へ送信する。番組特定サーバ８は、実施の形態１で説明した情報提供サーバ１の一部の機能を担う。具体的には、放送局や表示日時などの番組情報に基づいてテレビ７で表示されている映像番組を特定する情報（番組特定情報）を携帯端末６へ返信する。
【０１１９】
このようにして、携帯端末６は、テレビ７で表示されている映像番組を特定することが可能となる。動作も含めた他の部分については、実施の形態１と同じであるので説明を省略する。
【０１２０】
［２−２．効果等］
以上のように、本実施の形態において、情報表示装置（携帯端末６）は、さらに映像表示装置（テレビ７等）が出力する音声を取得するマイク６１を備え、番組位置特定部６２は、映像表示装置（テレビ７等）が表示する映像番組の配信元、表示日時等の番組情報を映像表示装置（テレビ７等）より取得する。番組位置特定部６２は、取得した番組情報を外部サーバ（番組特定サーバ８等）へ送信し、映像表示装置（テレビ７等）が表示する映像番組を特定する情報（番組特定情報）を取得する。
【０１２１】
それにより、映像表示装置（テレビ７等）が表示中の映像番組の配信元（放送局）や、表示日時などの番組情報を、情報表示装置（携帯端末６）へ無線あるいは有線による通信で伝達できない場合でも、情報表示装置（携帯端末６）は映像表示装置（テレビ７等）が表示する映像番組の放送局や表示日時といった番組情報を特定することができる。
【０１２２】
以上、本実施の形態によれば、実施の形態１と同様に、視聴中の映像番組の番組関連情報が取得できない場合でも、情報表示装置は他の番組の番組関連情報を表示することができる。さらに、映像表示装置に通信機能が無い場合でも、情報表示装置は、映像表示装置が表示する映像番組の配信情報等の番組情報を取得（決定）することができる。
【０１２３】
（実施の形態３）
以下、図１３〜図１６Ｃを用いて、実施の形態１および２で説明した番組関連情報提供システムとは異なる例を、実施の形態３として説明する。
【０１２４】
［３−１．構成］
図１３は、本実施の形態における番組関連情報提供システムの構成例を示す図である。図１４は、本実施の形態における録画機能付きテレビの機能構成を示す図である。
【０１２５】
本実施の形態の番組関連情報提供システム（図１３）と、実施の形態１の番組関連情報提供システム（図１）との相違点は、（１）録画機能付きテレビ９がビデオレコーダ（録画機能）を備えている点、（２）そのため放送局５が番組関連情報提供システム（図１３）から削除されている点、である。
【０１２６】
本実施の形態の説明では、実施の形態１と相違する点を中心に説明する。実施の形態１と同じ部分については、説明を省略する。
【０１２７】
携帯端末２は、実施の形態１で説明した携帯端末２と同じであるため説明を省略する。
【０１２８】
録画機能付きテレビ９は、映像を表示する映像表示装置として以外に、映像番組を記録・保持する機能を備える。録画機能付きテレビ９は、図１４に示すように、チューナ部３１と、番組位置送信部３２と、表示部３３と、ＨＤＤ９４とを備える。この録画機能付きテレビ９は、実施の形態１で説明したテレビ３（図２Ｃ）と比較すると、ＨＤＤ９４が追加されている点が異なる。
【０１２９】
ＨＤＤ９４は、映像番組を記録・保持する記録媒体である。本実施の形態では、ＨＤＤ（Ｈａｒｄ  Ｄｉｓｋ  Ｄｒｉｖｅ）を例に記載しているが、これは、不揮発性の記憶媒体であればいずれのものでもよい。
【０１３０】
以下では、図１５〜図１６Ｃを用いて、本実施の形態の情報表示装置（携帯端末２）が、映像番組に対応する番組関連情報がない場合でも、利用者に番組関連情報（メタデータ）を表示することで、利用者へのストレスを緩和させる場合に例について説明する。
【０１３１】
図１５は、本実施の形態においてユーザが視聴中の映像番組と、番組特定情報と、配信される番組関連情報との時間的関係を示す図である。図１６Ａ〜図１６Ｃは、本実施の形態における携帯端末２の表示部２４の表示例を示す図である。図１６Ａは、期間Ａおよび期間Ｂにおいて携帯端末２の表示部２４の表示例を示す図である。図１６Ｂは、期間Ｃの初期において携帯端末２の表示部２４の表示例を示す図である。図１６Ｃは、期間Ｃの一定期間経過後において携帯端末２の表示部２４の表示例を示す図である。
【０１３２】
図１５の（ａ）は、期間Ｘで視聴中の映像番組が期間Ｙで切り替わる例が示されている。
【０１３３】
具体的には、図１５の（ａ）では、期間Ｘの間は、録画機能付きテレビ９にすでに録画記録されている映像番組「ニュースＣ」が表示され、期間Ｙおよび期間Ｚでは、放送局から配信される「ドラマＢ」が表示されている場合の例が示されている。
【０１３４】
図１５の（ｂ）には、情報提供サーバ１から送信される番組特定情報の送信タイミングの例が示されている。図１５の（ｂ）には、情報提供サーバ１が提供する番組特定情報の変化が示されている。具体的には、期間Ｘの間は、「ニュースＣ」を特定する番組特定情報が情報提供サーバ１から送信され、期間Ｙおよび期間Ｚでは、「ドラマＢ」を特定する番組特定情報が情報提供サーバ１から送信される場合の例が示されている。
【０１３５】
また、図１５（ｂ）に示すように、番組特定情報は、実質的に図１５（ａ）と同じタイミングで、配信される映像番組の番組特定情報の切替えが行なわれる。つまり、番組特定情報は、録画機能付きテレビ９にすでに録画記録されている映像番組である「ニュースＣ」と放送局５（不図示）から配信される映像番組である「ドラマＢ」と実質的に同期している。
【０１３６】
図１５の（ｃ）には、情報提供サーバ１から送信される番組関連情報送信タイミングの例が示されている。図１５の（ｃ）に示されるように、放送局５から配信されている映像番組の番組特定情報と、その映像番組に関連する番組関連情報（メタデータ）の送信可能時期との間には一定の時間差が存在する。
【０１３７】
より具体的には、期間Ｘでは、録画機能付きテレビ９は、録画済の映像番組「ニュースＣ」を再生表示しているため、この映像番組「ニュースＣ」の番組関連情報はすでに過去に生成されている。そのため、「ニュースＣ」に対応する番組関連情報は、実質的に「ニュースＣ」の表示の経過と一緒（同期して）に携帯端末２が取得することが可能である。一方、期間Ｙにおいて、録画機能付きテレビ９は映像番組「ドラマＢ」を表示する。この映像番組は、放送局５から配信される映像番組であるため、この映像番組の番組関連情報は、映像番組「ドラマＢ」よりも所定時間おくれて提供される。つまり、携帯端末２は、期間Ｙ中は「ドラマＢ」の番組関連情報を「ドラマＢ」と同期（連動）して取得することができず、所定の時間経過後の期間Ｚで「ドラマＢ」の番組関連情報を取得することが可能となる。
【０１３８】
したがって、本実施の形態における携帯端末２（端末制御部２３）は、実施の形態１と同様に、「ドラマＢ」の番組関連情報を取得できるまでの間、直前に録画機能付きテレビ９が表示していた映像番組の番組関連情報を表示部２４に表示する。より具体的には、図１６Ａに示すように、携帯端末２の表示部２４では、期間Ｘおよび期間Ｙの間、取得済の「ニュースＣ」の番組関連情報のみを携帯端末は表示する。
【０１３９】
そして、期間Ｚになると、携帯端末２は、「ドラマＢ」の番組関連情報の取得が可能となる。しかし、期間Ｚになってからもしばらくの間、十分な数の番組関連情報を取得できない場合がある。その場合には、図１６Ｂに示すように、携帯端末２は、直前に視聴していた「ニュースＣ」の番組関連情報と、新たに取得した「ドラマＢ」の番組関連情報の両方を表示部２４に表示する。
【０１４０】
さらに時間が経過し、携帯端末２が「ドラマＢ」について十分な数の番組関連情報を取得すると、図１６Ｃに示すように、表示部２４には、すべて「ドラマＢ」のみに関する番組関連情報が表示される。
【０１４１】
［３−２．効果等］
以上のように、本実施の形態によれば、携帯端末２の利用者は、映像番組切り換え後の番組関連情報が十分に取得できない場合でも、直前に視聴（再生）等していた映像番組の番組関連情報を表示することができる。これにより、視聴者は携帯端末２」で何らかの番組関連情報を表示することができるので、なにも番組関連情報が表示できない状態を回避することができる。
【０１４２】
したがって、映像番組に関連する番組関連情報（メタデータ）が実際の映像番組の放送等に対して時間的な遅れを伴って配信される場合でも、当該メタデータが配信されるまで、実際の映像番組の放送等に対するメタデータを表示画面に表示できずに利用者にストレスを与えてしまうということを防止することができる。
【０１４３】
（実施の形態４）
以下、図１７Ａおよび図１７Ｂを用いて、携帯端末（情報表示装置）が番組関連情報を表示する際の表示例について、実施の形態３として説明する。
【０１４４】
図１７Ａおよび図１７Ｂは、本実施の形態における番組関連情報の表示例を示す図である。
【０１４５】
図１７Ａには、図９Ａに示す単一の映像番組の番組関連情報の表示例とは異なる表示例が示されている。具体的には、表示部２４の上部に映像番組の番組名「映画Ａ」が表示され、その下にその映像番組の「番組関連情報」が表示されている。
【０１４６】
図１７Ｂには、図９Ｂに示す現在視聴中の映像番組の番組関連情報と、他の映像番組の番組関連情報とが混在表示された表示例とは異なる表示例が示されている。具体的には、表示部２４の最上部に、現在表示している映像番組の番組名「ドラマＢ」が表示され、その下に、現在表示中の映像番組「ドラマＢ」番組関連情報が表示される。さらに、その下には、直前等に視聴していた他の映像番組の番組名「映画Ａ」が表示され、番組名「映画Ａ」の下に、他の映像番組の番組関連情報が表示される。
【０１４７】
以上、本実施の形態で説明した表示例によれば、携帯端末（情報表示装置）の利用者がいずれの番組関連情報が、いずれの番組に対応するものか、を容易に識別することができる。
【０１４８】
（他の実施の形態）
以上のように、本出願において開示する技術の例示として、実施の形態１〜４を説明した。しかしながら、本開示における技術は、これに限定されず、適宜、変更、置き換え、付加、省略などを行った実施の形態にも適用可能である。また、上記実施の形態１〜４で説明した各構成要素を組み合わせて、新たな実施の形態とすることも可能である。
【０１４９】
また、以下のような場合も本開示に含まれる。
【０１５０】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムで実現され得る。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【０１５１】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＯＭには、コンピュータプログラムが記憶されている。マイクロプロセッサが、ＲＯＭからＲＡＭにコンピュータプログラムをロードし、ロードしたコンピュータプログラムにしたがって演算等の動作することにより、システムＬＳＩは、その機能を達成する。
【０１５２】
（３）上記の各装置を構成する構成要素の一部または全部は、各装置に脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールには、上記の超多機能ＬＳＩが含まれてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０１５３】
（４）本開示は、上記に示す方法で実現されてもよい。また、これらの方法をコンピュータにより実現するコンピュータプログラムで実現してもよいし、コンピュータプログラムからなるデジタル信号で実現してもよい。
【０１５４】
例えば、上記各実施の形態の情報表示装置などを実現するソフトウェアは、次のようなプログラムである。
【０１５５】
すなわち、このプログラムは、コンピュータに、映像表示装置が表示する映像番組に連動して前記映像番組に関連する番組関連情報を取得する取得ステップと、前記取得ステップにおいて取得された番組関連情報を表示部に表示させる制御ステップと、を含み、前記制御ステップでは、前記取得ステップにおいて前記映像表示装置で表示されている第１映像番組に関連する第１番組関連情報を前記第１映像番組に連動して取得できない場合、前記第１映像番組が前記映像表示装置で表示される前に配信されていた第２番組関連情報、または、前記映像表示装置で前記第１映像番組が表示される前に表示されていた第２映像番組に関連する第３番組関連情報を前記表示部に表示させることを実行させる。
【０１５６】
また、本開示は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したもので実現してもよい。また、これらの記録媒体に記録されているデジタル信号で実現してもよい。
【０１５７】
また、本開示は、コンピュータプログラムまたはデジタル信号を、電気通信回線、無線または有線通信回線、インターネットを代表とするネットワーク、データ放送等を経由して伝送してもよい。
【０１５８】
また、本開示は、マイクロプロセッサとメモリを備えたコンピュータシステムであって、メモリは、コンピュータプログラムを記憶しており、マイクロプロセッサは、コンピュータプログラムにしたがって動作してもよい。
【０１５９】
また、プログラムまたはデジタル信号を記録媒体に記録して移送することにより、またはプログラムまたはデジタル信号をネットワーク等を経由して移送することにより、独立した他のコンピュータシステムにより実施するとしてもよい。
【０１６０】
（５）上記実施の形態および上記変形例をそれぞれ組み合わせるとしてもよい。
【０１６１】
以上のように、本開示における技術の例示として、実施の形態を説明した。そのために、添付図面および詳細な説明を提供した。
【０１６２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６３】
また、上述の実施の形態は、本開示における技術を例示するためのものであるから、請求の範囲またはその均等の範囲において種々の変更、置き換え、付加、省略などを行うことができる。
【産業上の利用可能性】
【０１６４】
本開示は、映像番組に対応する番組関連情報がない場合でも、利用者へのストレスを緩和させる情報表示装置に適用可能である。具体的には、携帯端末やテレビ上に、視聴中のテレビ番組に関連する情報を表示する情報表示装置等に本開示は利用できる。
【符号の説明】
【０１６５】
１  情報提供サーバ
２、６  携帯端末
３、７  テレビ
４  ネットワーク
５  放送局
８  番組特定サーバ
９  録画機能付きテレビ
１１  制御部
１２  情報送信部
１３  番組関連情報データベース
２１、６２  番組位置特定部
２２  情報取得部
２３  端末制御部
２４  表示部
２５  取得情報保持部
３１  チューナ部
３２  番組位置送信部
３３  表示部
６１  マイク
９４  ＨＤＤ
２４１  メタデータ表示領域
３０１  ＣＰＵ
３０２  メモリ
３０３  ネットワークインターフェイス
３０４  無線インターフェイス
３０５  ディスプレイ
【手続補正２】
【補正対象書類名】特許請求の範囲
【補正対象項目名】全文
【補正方法】変更
【補正の内容】
【特許請求の範囲】
【請求項１】
表示部と、
映像表示装置が表示する映像番組に連動して前記映像番組に関連する番組関連情報を取得する取得部と、
前記取得部により取得された番組関連情報を前記表示部に表示させる制御部と、を備え、
前記制御部は、前記取得部が前記映像表示装置で表示されている第１映像番組に関連する第１番組関連情報を前記第１映像番組に連動して取得できない場合、前記第１映像番組が前記映像表示装置で表示される前に配信されていた第２番組関連情報、または、前記映像表示装置で前記第１映像番組が表示される前に表示されていた第２映像番組に関連する第３番組関連情報を前記表示部に表示させる、
情報表示装置。
【請求項２】
前記表示部は、前記取得部により取得された番組関連情報を表示するための第１数の表示領域を有しており、
前記制御部は、
前記取得部が前記第１番組関連情報を前記第１数よりも少ない第２数の番組関連情報しか前記第１映像番組に連動して取得できなかった場合、
前記第２数の番組関連情報それぞれを前記第２数の表示領域それぞれに表示させ、かつ、前記第２番組関連情報または前記第３番組関連情報を、前記第１数から前記第２数を引いた残りの表示領域の少なくとも１つに表示させる、
請求項１に記載の情報表示装置。
【請求項３】
前記情報表示装置は、さらに、
前記第１映像番組が前記映像表示装置で表示される前に前記取得部により取得された前記第２番組関連情報または前記第３番組関連情報を保持する取得情報保持部を備え、
前記制御部は、前記取得部が前記第１番組関連情報を前記第１映像番組に連動させて取得できない場合、前記第２番組関連情報または前記第３番組関連情報を前記取得情報保持部に保存された前記第２番組関連情報または前記第３番組関連情報を前記表示部に表示させる、
請求項１または２に記載の情報表示装置。
【請求項４】
前記取得部は、前記第１番組関連情報を前記第１映像番組に連動して取得できない場合、前記第２番組関連情報または前記第３番組関連情報を外部から取得する、
請求項１または２に記載の情報表示装置。
【請求項５】
映像表示装置が表示する映像番組に連動して前記映像番組に関連する番組関連情報を取得する取得ステップと、
前記取得ステップにおいて取得された番組関連情報を表示部に表示させる制御ステップと、を含み、
前記制御ステップでは、前記取得ステップにおいて前記映像表示装置で表示されている第１映像番組に関連する第１番組関連情報を前記第１映像番組に連動して取得できない場合、前記第１映像番組が前記映像表示装置で表示される前に配信されていた第２番組関連情報、または、前記映像表示装置で前記第１映像番組が表示される前に表示されていた第２映像番組に関連する第３番組関連情報を前記表示部に表示させる、
情報表示装置。
【手続補正３】
【補正対象書類名】図面
【補正対象項目名】全図
【補正方法】変更
【補正の内容】
【図１】
2013124917.tif 000027
【図２Ａ】
2013124917.tif 000028
【図２Ｂ】
2013124917.tif 000029
【図２Ｃ】
2013124917.tif 000030
【図３】
2013124917.tif 000031
【図４】
2013124917.tif 000032
【図５】
2013124917.tif 000033
【図６】
2013124917.tif 000034
【図７】
2013124917.tif 000035
【図８】
2013124917.tif 000036
【図９Ａ】
2013124917.tif 000037
【図９Ｂ】
2013124917.tif 000038
【図９Ｃ】
2013124917.tif 000039
【図１０】
2013124917.tif 000040
【図１１】
2013124917.tif 000041
【図１２】
2013124917.tif 000042
【図１３】
2013124917.tif 000043
【図１４】
2013124917.tif 000044
【図１５】
2013124917.tif 000045
【図１６Ａ】
2013124917.tif 000046
【図１６Ｂ】
2013124917.tif 000047
【図１６Ｃ】
2013124917.tif 000048
【図１７Ａ】
2013124917.tif 000049
【図１７Ｂ】
2013124917.tif 000050
【国際調査報告】
2013124917.tif 000051
2013124917.tif 000052